(57)【要約】【課題】商品の登録をスムーズに行うことができる商品販売データ処理装置及びプログラムを提供する。【解決手段】ＰＯＳ端末は、登録する商品を入力させる商品入力手段と、販売数量を入力させる数量キーの操作によって、前記商品入力手段で入力された商品の販売数量を入力させる数量入力手段と、を備え、前記数量入力手段は、前記数量キーの操作によって入力された販売数量の値が所定の桁数又は所定の値を超えた場合に、前記数量キーの操作によって入力された販売数量の値を破棄し、予め設定されている値をその商品の販売数量として入力する。【選択図】図２４
2020017224.tif 000002
【特許請求の範囲】
【請求項１】
登録する商品を入力させる商品入力手段と、
販売数量を入力させる数量キーの操作によって、前記商品入力手段で入力された商品の販売数量を入力させる数量入力手段と、
を備え、
前記数量入力手段は、前記数量キーの操作によって入力された販売数量の値が所定の桁数又は所定の値を超えた場合に、前記数量キーの操作によって入力された販売数量の値を破棄し、予め設定されている値をその商品の販売数量として入力する、
ことを特徴とする商品販売データ処理装置。
【請求項２】
前記数量入力手段は、商品の販売数量として、１未満の入力を禁止する、
請求項１に記載の商品販売データ処理装置。
【請求項３】
前記数量入力手段は、商品の販売数量を訂正する場合、１未満の入力を許可する、
請求項１又は２に記載の商品販売データ処理装置。
【請求項４】
前記数量入力手段は、前記商品ごとに設定された桁数又は所定の値に基づいて、商品の販売数量を入力させる、
請求項１から３のうちのいずれか１項に記載の商品販売データ処理装置。
【請求項５】
前記数量入力手段は、店員側に設けられた店員側数量入力手段と、客側に設けられた客側数量入力手段と、を備えており、
前記店員側数量入力手段と前記客側数量入力手段との間で、前記所定の桁数又は所定の値が異なる、
請求項１から４のうちのいずれか１項に記載の商品販売データ処理装置。
【請求項６】
前記数量入力手段によって入力された販売数量を表示する表示手段を備え、
前記表示手段は、前記商品入力手段で入力された商品に応じた単位を、前記数量入力手段によって入力される販売数量とともに表示する、
請求項１から５のうちのいずれか１項に記載の商品販売データ処理装置。
【請求項７】
コンピュータを、
登録する商品を入力させる商品入力部と、
販売数量を入力させる数量キーの操作によって、前記商品入力部で入力された商品の販売数量を入力させる数量入力部と、
として機能させ、
前記数量入力部は、前記数量キーの操作によって入力された販売数量の値が所定の桁数又は所定の値を超えた場合に、前記数量キーの操作によって入力された販売数量の値を破棄し、予め設定されている値をその商品の販売数量として入力する、
ように機能させるプログラム。
【請求項８】
登録する商品を入力させる商品入力ステップと、
販売数量を入力させる数量キーの操作によって、前記商品入力ステップで入力された商品の販売数量を入力させる数量入力ステップと、
前記数量入力ステップにおいて、前記数量キーの操作によって入力された販売数量の値が所定の桁数又は所定の値を超えた場合に、前記数量キーの操作によって入力された販売数量の値を破棄し、予め設定されている値をその商品の販売数量として入力するステップ、とを含むことを特徴とする販売数量の入力方法。
【発明の詳細な説明】
【技術分野】
【０００１】
本発明は、商品販売データ処理装置、プログラム、及び販売数量の入力方法に関する。
【背景技術】
【０００２】
商品販売データ装置では、商品に付されたバーコードなどのコード情報をスキャナで読み取って商品登録を行うものがあるが、コード情報が付されていない商品もある。このような商品については、商品の商品情報が予め設定されたプリセットキーの操作によって、商品登録を行わせることがある。プリセットキーとしては、例えば、テンキーや画面に表示されるソフトキーなどが用いられる。また、プリセットキーを操作させた後に、数量を指定するキーを操作させて、登録する商品の数を指定する。
【先行技術文献】
【特許文献】
【０００３】
【特許文献１】特開昭５８−６０３３８号公報
【特許文献２】特公平３−３２１２０号公報
【発明の概要】
【発明が解決しようとする課題】
【０００４】
しかし、登録する商品の数を指定する際に、通常では考えられない数を登録してしまい、そのまま気づかず決済がなされてしまうと、客が買い上げる商品数と異なる数で決済されてしまうため客に迷惑をかけてしまう。また、このような状態が発生すると、お店の信用問題や顧客を失う可能性もある。また、操作ミスに気づいた場合には、オペレータによって決済された取引の取り消しやあるいは訂正等の処理を行うこととなるため、余計な手間と時間を要すことになる。
【０００５】
本発明の課題は、客との取引をスムーズに行うことができる、商品販売データ処理装置、プログラム、及び販売数量の入力方法を提供することである。
【課題を解決するための手段】
【０００６】
上述した課題を解決するために、本発明の一態様である商品販売データ処理装置は、登録する商品を入力させる商品入力手段と、販売数量を入力させる数量キーの操作によって、前記商品入力手段で入力された商品の販売数量を入力させる数量入力手段と、を備え、前記数量入力手段は、前記数量キーの操作によって入力された販売数量の値が所定の桁数又は所定の値を超えた場合に、前記数量キーの操作によって入力された販売数量の値を破棄し、予め設定されている値をその商品の販売数量として入力する、ことを特徴とする。
【０００７】
上記構成によれば、客との取引をスムーズに行うことができる。
【０００８】
上記商品販売データ処理装置において、前記数量入力手段は、商品の販売数量として、１未満の入力を禁止する、ようにしてもよい。
【０００９】
上記構成によれば、入力ミスや不正を抑制できる。
【００１０】
上記商品販売データ処理装置において、前記数量入力手段は、商品の販売数量を訂正する場合、１未満の入力を許可する、ようにしてもよい。
【００１１】
上記構成によれば、入力ミス等をスムーズに訂正または修正することができる。
【００１２】
上記商品販売データ処理装置において、前記数量入力手段は、前記商品ごとに設定された桁数又は所定の値に基づいて、商品の販売数量を入力させる、ようにしてもよい。
【００１３】
上記構成によれば、商品の特性に応じて数量を入力させることができる。
【００１４】
上記商品販売データ処理装置において、前記数量入力手段は、店員側に設けられた店員側数量入力手段と、客側に設けられた客側数量入力手段と、を備えており、前記店員側数量入力手段と前記客側数量入力手段との間で、前記所定の桁数又は所定の値が異なる、ようにしてもよい。
【００１５】
上記構成によれば、客側及び店員側の入力操作性及び信頼性を高めるとともに作業効率をも高めることができる。
【００１６】
上記商品販売データ処理装置において、前記数量入力手段によって入力された販売数量を表示する表示手段を備え、前記表示手段は、前記商品入力手段で入力された商品に応じた単位を、前記数量入力手段によって入力される販売数量とともに表示する、ようにしてもよい。
【００１７】
上記構成によれば、商品に応じた単位を表示するので入力ミス防止できる。
【００１８】
上述した課題を解決するために、本発明の他の態様であるプログラムは、コンピュータを、登録する商品を入力させる商品入力部と、販売数量を入力させる数量キーの操作によって、前記商品入力手段で入力された商品の販売数量を入力させる数量入力部と、として機能させ、前記数量入力手段は、前記数量キーの操作によって入力された販売数量の値が所定の桁数又は所定の値を超えた場合に、前記数量キーの操作によって入力された販売数量の値を破棄し、予め設定されている値をその商品の販売数量として入力する、ように機能させる。
【００１９】
上記構成によれば、客との取引をスムーズに行うことができる。
【００２０】
上述した課題を解決するために、本発明の他の態様である販売数量の入力方法は、登録する商品を入力させる商品入力ステップと、販売数量を入力させる数量キーの操作によって、前記商品入力ステップで入力された商品の販売数量を入力させる数量入力ステップと、前記数量入力ステップにおいて、前記数量キーの操作によって入力された販売数量の値が所定の桁数又は所定の値を超えた場合に、前記数量キーの操作によって入力された販売数量の値を破棄し、予め設定されている値をその商品の販売数量として入力するステップ、とを含むことを特徴とする。
【００２１】
上記構成によれば、客との取引をスムーズに行うことができる。
【発明の効果】
【００２２】
以上のように、本発明によれば、客との取引をスムーズに行うことができる。
【図面の簡単な説明】
【００２３】
【図１】本発明の一実施形態に係るＰＯＳシステムのネットワーク構成図である。
【図２】ＰＯＳ端末の設置例を示す図である。
【図３】ＰＯＳ端末の外観例を示す図である。
【図４】ＰＯＳ端末の構成例を示す図である。
【図５】ＰＯＳ端末の動作モードの概略を説明する図である。
【図６】ＰＯＳ端末の動作モードの切り替えについて説明する図である。
【図７】通常モードの動作の概略を説明する模式図である。
【図８】通常モードの動作の概略を説明するフローチャートである。
【図９】通常モードの動作の概略を説明する模式図である。
【図１０】通常モードの動作の概略等を説明するフローチャートである。
【図１１】フルセルフモードの動作の概略を説明する模式図である。
【図１２】フルセルフモードの動作の概略を説明するフローチャートである。
【図１３】ダブルスキャンモードの動作の概略を説明する模式図である。
【図１４】ダブルスキャンモードの動作の概略を説明するフローチャートである。
【図１５】通常モードのＰＯＳ端末２０における表示例である。
【図１６】通常モードのＰＯＳ端末２０における表示例である。
【図１７】通常モードのＰＯＳ端末２０における表示例である。
【図１８】通常モードのＰＯＳ端末２０における表示例である。
【図１９】通常モードのＰＯＳ端末２０における表示例である。
【図２０】通常モードのＰＯＳ端末２０における表示例である。
【図２１】フルセルフモードのＰＯＳ端末２０における表示例である。
【図２２】フルセルフモードのＰＯＳ端末２０における表示例である。
【図２３】フルセルフモードのＰＯＳ端末２０における表示例である。
【図２４】フルセルフモードのＰＯＳ端末２０における表示例である。
【図２５】フルセルフモードのＰＯＳ端末２０における表示例である。
【図２６】フルセルフモードのＰＯＳ端末２０における表示例である。
【図２７】ＰＯＳ端末２０が行う商品登録処理の一例を示すフローチャートである。
【図２８】ＰＯＳ端末２０が行う登録個数入力画面表示の一例を示すフローチャートである。
【図２９】ＰＯＳ端末２０が行う登録個数入力処理の一例を示すフローチャートである。
【発明を実施するための形態】
【００２４】
図１は、本発明の一実施形態に係るＰＯＳ（Point Of Sales）システムのネットワーク構成図である。図１に示すＰＯＳシステム１は、３台のＰＯＳ端末２０−１、ＰＯＳ端末２０−２、ＰＯＳ端末２０−３と、ストアコントローラ（ストアコンピュータ、管理装置）１０を備え、夫々はＬＡＮ１１（有線または無線）を介して通信可能に接続されている。以下、ＰＯＳ端末２０−１、２０−２、２０−３について特に区別しない場合には、ＰＯＳ端末２０と総称する。なお、ＰＯＳシステム１は、ＰＯＳ端末２０の状況（動作モード、処理状況等）を表示したり、ＰＯＳ端末２０を制御したりする監視端末（非図示）を更に備えていてもよい。
【００２５】
ＰＯＳシステム１は、種々の店舗（コンビニストア、スーパーマーケット等）に導入可能である。
【００２６】
図２は、ＰＯＳ端末２０の設置例を示す図である。図２（Ａ）は、ＰＯＳ端末２０等を客側から見た斜視図である。図２（Ｂ）は、ＰＯＳ端末２０等を店員側から見た斜視図である。図２（Ａ）に示すように客側から見てＰＯＳ端末２０の右側にカウンタが置かれている。
【００２７】
図３は、ＰＯＳ端末２０の外観例を示す図である。図３（Ａ）は、ＰＯＳ端末２０を客側から見た斜視図である。図３（Ｂ）は、ＰＯＳ端末２０を店員側から見た斜視図である。図４は、ＰＯＳ端末２０の構成例を示す図である。図３及び図４において、同一部分には同一符号を付している。
【００２８】
以下、図３を参照しつつ、図４に示したＰＯＳ端末２０の構成例を説明する。ＰＯＳ端末２０は、ＣＰＵ２０１と、ＲＯＭ２０２と、ＲＡＭ２０３と、ハードディスク２０４と、客側表示部２０５と、客側スキャナ部２０６と、カード決済部２０８と、釣銭機２０９と、店員側表示部２１０と、キー操作部２１１と、店員側スキャナ部２１２と、印刷部２１３と、音声出力部２１４と、通信部２１５とを備える。これらは、バスを介して相互に通信可能である。なお、符号２１１ａ、２１１ｂ、２１１ｃについては後述する。
【００２９】
ＣＰＵ２０１は、中央演算処理装置であり、ＲＯＭ２０２に記憶されているプログラムを読み出して実行することにより、ＰＯＳ端末２０の動作を制御する。
ＲＯＭ２０２は、読み出し専用メモリであり、プログラムをはじめとしてＣＰＵ２０１が利用する各種の情報を記憶する。また、図示していない上位サーバ（管理サーバ）と接続され、ＰＯＳ端末２０の動作を制御するプログラムをアップデート（バージョンアップ等）する場合は、一旦ハードディスク２０４にアップデート（バージョンアップ等）を行うための新しいプログラムを記憶しておき、ＰＯＳ端末２０が起動する際に、ＲＯＭ２０２（フラッシュロム）にアップデート（バージョンアップ等）を行う新しいバージョンのプログラムを記憶させるようにしてもよい。この機能は、ＰＯＳ端末２０がＬＡＮ１１（有線または無線）を介して図示していない上位サーバ（管理サーバ）と通信可能であれば自動的にアップデートする機能であり、オートアップデート機能と呼ばれている。また、図示していない上位サーバ（管理サーバ）からリモートアクセスを行いＰＯＳ端末２０のプログラムをＲＯＭ２０２（フラッシュロム）に新しいバージョンのプログラムにアップデート（バージョンアップ等）を行うようにしてもよく、この機能をリモートアップデート機能という。
【００３０】
ＲＡＭ２０３は、読み出し書き込みメモリであり、種々の情報を記憶する。例えば、ＲＡＭ２０３は、外部から取得した情報（例えば、ストアコントローラ１０から取得した商品マスタ等）や、処理において生成した情報（例えば、商品を登録する登録処理において生成した登録情報（登録データ）、買上商品を精算（決済）する精算処理において生成した精算情報等）を記憶する。
【００３１】
ハードディスク２０４は、種々の情報を記憶する。ハードディスク２０４は、例えば、ＲＯＭ２０２に代えて、ＣＰＵ２０１が実行するプログラム等を記憶してもよい。また、ＲＡＭ２０３に代えて、外部から取得した情報や、処理において生成した情報を記憶してもよい。
【００３２】
なお、上記の登録データを含む各種データは、通常は、ハードディスク２０４に記憶させておき、必要に応じてＲＡＭ２０３に記憶させるようにする。これにより、ハードディスク２０４よりも読み書きのスピードが速いＲＡＭ２０３に記憶させておき、必要により読み書きさせれば処理速度が速くなりＰＯＳ端末２０のパフォーマンスが向上されるので機能アップにもつながる。なお、動作制御の途中において更新されるデータは所定の条件やタイミングでＲＡＭ２０３に記憶させたデータとハードディスク２０４に記憶させたデータと同期するように制御がなされる。これによって、ハードディスク２０４に記憶したデータもＲＡＭ２０３に記憶させたデータと同期がとられ最新の情報に維持することができる。
【００３３】
客側表示部２０５は、客用のタッチディスプレイであり、客に種々の情報を表示するとともに、客から種々の入力を受け付ける。
客側スキャナ部２０６は、客用のスキャナ部であり、各種の情報を光学的に読み取る。例えば、客側スキャナ部２０６は、商品に付されているバーコード（商品コード等）や、お会計券（登録商標）に印刷されているコード（バーコード、２次元コード等）を光学的に撮像し、該撮像した画像からコード（例えばバーコード、あるいは２次元コード等）を抽出し、そのコードから情報を読み取る（デコード、またはデコーディングする）。客側スキャナ部２０６は、上記に加えて、品券類（商品券、クーポン券、優待券）や、各種カード（例えば、会員カード、ポイントカード等）に印刷されているコード（バーコード、２次元コード等）を読み取ってもよい。
【００３４】
なお、客側スキャナ部２０６は、客が商品を登録する際に用いられるが、客は他の方法によって商品を登録してもよい。例えば、客側表示部２０５に、商品に対応するプリセットキー（商品を注文するボタン）が表示されている場合、客は、当該プリセットキーを操作（押下）し、商品を登録してもよい。
【００３５】
カード決済部２０８は、各種カード（クレジットカード、交通系カード等のプリペイドカード、ポイントカード等）による決済機構である。カード決済部２０８は、カード認識部（読取部）や表示部や操作部を備える。カード認識部は、各種カードの情報を磁気的又は電気的に読み取る。読み取られた情報は、買上商品の決済（精算）を用いられる。なお、カード認識部は、今回の買上商品の決済（精算）に認識した情報を使用する場合（つまり、クレジットカードによるクレジット決済の場合、プリペイドカードによるプリペイドカード決済の場合、ポイントカードの保有ポイントを使用（消費）する場合等）に加えて、今回の買上商品の決済（精算）に認識した情報を使用しない場合（例えば、クレジットカードの提示による特典付与の場合、ポイントカードにポイントを付与する場合等）にも、各種カードを認識してもよい。なお、本実施形態のカード決済部２０８は、カード認識部（読取部）や表示部や操作部を備えるが、カード決済部２０８は、少なくともカード認識部を備えるものであればよい。また、本実施形態のカード認識部は、接触型のカード（ＩＣカード、磁気カード）に対応するものであるが、接触型のカードに代えて又は加えて、非接触型のカード（ＩＣカード）に対応するものであってもよい。
【００３６】
釣銭機２０９（現金決済部）は、現金による決済機構であり、紙幣や硬貨の投入口、紙幣や硬貨の排出口、投入された紙幣や硬貨、あるいは紙幣や硬貨以外の物（取り扱いが出来ない外貨など）を返却する返却口を有し、投入口への投入金額を算出し、投入金額と買上金額の差分である釣銭金額を算出し、釣り銭を排出口から排出する。当該釣銭機２０９は、客側に向けられており、客が操作するものである。なお、紙幣や硬貨が投入口に投入された場合にはセンサによって検出（投入があった旨の検出、金種別の枚数の検出等）される。カード決済部２０８と釣銭機２０９とにより、精算部が形成される。
【００３７】
店員側表示部２１０は、店員用のタッチディスプレイであり、店員に種々の情報を表示するとともに、店員から種々の入力を受け付ける。
キー操作部２１１は、各種のキー（ハードウェアキー、ボタン）から構成され、店員から種々の入力を受け付ける。
店員側スキャナ部２１２は、店員用のスキャナ部であり、各種の情報を光学的に撮像し、該撮像した画像からコード（例えばバーコード、あるいは２次元コード等）を抽出し、そのコードから情報を読み取る（デコード、またはデコーディングする）。例えば、店員側スキャナ部２１２は、商品に付されているバーコードや、店員の名札に付された店員コードを光学的に読み取る。店員側スキャナ部２１２は、上記に加えて、お会計券に印刷されているコードや、品券類や、各種カードに印刷されているコードを読み取ってもよい。
【００３８】
なお、店員側スキャナ部２１２は、店員が商品を登録する際に用いられるが、店員は他の方法によって商品を登録してもよい。例えば、キー操作部２１１に、商品に対応するキー（例えば、スポーツ新聞に対応するキー等）が配置されている場合、店員は、当該キーを操作（押下）し、当該商品を登録してもよい。また、店員側表示部２１０に、商品に対応するプリセットキーが表示されている場合、店員は、当該プリセットキーを操作し、当該商品を登録してもよい。
【００３９】
印刷部２１３は、各種媒体（レシート、お会計券等）を印刷、発行する。印刷部２１３は、店員側から客側、客側から店員側に向き（媒体発行口の方向）を回転自在に変更可能である。印刷部２１３の向きは、手動で変更してもよいし、例えば動作モード（詳細は後述）が切り替わることに基づいて自動的に変更（メカ的に制御等）してもよい。なお、印刷部２１３の向きの正誤をセンサなどで検出してもよい。なお、動作モードが切り替わることを動作モードが移行するとも言う。
【００４０】
音声出力部２１４は、音声を出力する。例えば、音声出力部２１４は、音声ガイダンス等を出力する。
通信部２１５は、他端末（他のＰＯＳ端末２０、ストアコントローラ１０）との間において情報を送受信する。
【００４１】
（各動作モードの概要）
続いて、ＰＯＳ端末２０の動作モードについて説明する。ＰＯＳ端末２０は、複数の動作モードを有する。当該動作モードは、通常業務中の動作モード（登録処理及び精算処理に係る動作モード）であり、売上や在高等を集計、照会等する集計モード、店員や保守員等が設定作業や保守作業を行う際のメンテナンスモード、新人がトレーニングを行う際のトレーニングモード等は含まない。
【００４２】
図５は、ＰＯＳ端末２０の動作モードの概略を説明する図である。ＰＯＳ端末２０は、例えば、図５（Ａ）に示した３種類の動作モード（通常モード（標準モード）、フルセルフモード、セミセルフモード（会計専用モード））を有する。また、ＰＯＳ端末２０は、図５（Ａ）の通常モード（標準モード）に代えて又は加えて図５（Ｂ）の通常モード（制限モード）を有してもよい。また、ＰＯＳ端末２０は、図５（Ａ）の通常モード（標準モード）に代えて又は加えて図５（Ｂ）のセミセルフモード（登録専用モード）を有してもよい。また、ＰＯＳ端末２０は、図５（Ａ）のセミセルフモード（会計専用モード）に代えて又は加えて図５（Ｂ）のセミセルフモード（登録専用モード）を有してもよい。
【００４３】
図５（Ａ）において、列は、各動作モードを示し、行は、各機能（「商品登録（店員側）」、「商品登録（客側）」、「貨幣の投入」、…、「お会計券の読取」）を示している。図５（Ｂ）においても同様である（但し、図５（Ｂ）においては各機能の図示を省略している）。
【００４４】
図５（Ａ）（図５（Ｂ）も同様）において、列と行から特定される欄内の「〇」は、当該列の動作モードでは当該行の機能を有効としている旨を示している。例えば、列「通常モード（標準モード）」と行「商品登録（店員側）」から特定される欄内の「〇」は、通常モード（標準モード）では商品登録（店員側）を有効としている旨を示している。また、列と行から特定される欄内の「−」は、当該列の動作モードでは当該行の機能を無効としている旨を示している。例えば、列「通常モード」と行「商品登録（客側）」から特定される欄内の「−」は、通常モードでは商品登録（客側）を無効としている旨を示している。
【００４５】
（各機能の説明）
以下、図５（Ａ）に示した各機能の概略を説明する。
【００４６】
（商品登録（店員側））
「商品登録（店員側）」は、買上商品を店員側（店員側スキャナ部２１２、店員側表示部２１０、キー操作部２１１）にて登録する機能である。つまり、店員の操作（店員側スキャナ部２１２によるスキャン、店員側表示部２１０へのタッチ、キー操作部２１１の操作）により、買上商品の登録処理を実行する機能である。
【００４７】
（商品登録（客側））
「商品登録（客側）」は、買上商品を客側（客側スキャナ部２０６、客側表示部２０５）にて登録する機能である。つまり、客の操作（客側スキャナ部２０６によるスキャン、客側表示部２０５へのタッチ）により、買上商品の登録処理を実行する機能である。
【００４８】
（貨幣の投入）
「貨幣の投入」は、貨幣（紙幣、硬貨）の投入を受け付ける機能である。つまり、現金による精算の操作（釣銭機２０９への貨幣の投入）を受け付ける機能である。
【００４９】
（他端末への登録情報の送信）
「他端末への登録情報の送信」は、登録処理において生成された登録情報を他端末（精算処理を実行可能な他端末。例えば、他のＰＯＳ端末２０）に送信（直接的に他端末に送信、又は、ストアコントローラ１０や監視端末などを経由して間接的に他端末に送信。以下、同様）する機能である。
【００５０】
（お会計券の発行）
「お会計券の発行」は、登録処理において生成した登録情報等をコード化し、印刷した媒体（お会計券）を発行する機能である。
【００５１】
（他端末からの登録情報の受信）
「他端末からの登録情報の受信」は、他端末の登録処理において生成された登録情報を受信（直接的に他端末から受信、又は、ストアコントローラ１０や監視端末などを経由して間接的に他端末から受信。以下、同様）する機能である。なお、他端末から登録情報を受信した端末は、当該登録情報に基づいて精算処理を実行する。
【００５２】
（お会計券の読取）
「お会計券の読取」は、お会計券（具体的にはお会計券に印刷されているコード、あるいは、コード化されている情報）を読み取る機能である。なお、他端末において発行されたお会計券を読み取った端末は、お会計券を読み取ることによって取得される登録情報に基づいて精算処理を実行する。
【００５３】
（各動作モードの説明）
続いて、図５（Ａ）及び図５（Ｂ）に示した各動作モードの概略を説明する。
【００５４】
（通常モード（標準モード））
通常モード（標準モード）は、図５（Ａ）に示すように、商品登録（店員側）を有効「〇」とし、商品登録（客側）を無効「−」とした動作モードである。つまり、通常モード（標準モード）は、客側においては登録処理を実行せずに店員側において登録処理を実行する動作モードである。
【００５５】
また、通常モード（標準モード）は、図５（Ａ）に示すように、貨幣の投入も、他端末への登録情報の送信も、お会計券の発行も、いずれも有効「〇」とした動作モードである。つまり、通常モード（標準モード）では、店員側における登録処理の後の精算処理について、自端末において実行することも他端末に実行させることも可能である。具体的には、通常モード（標準モード）では、釣銭機２０９への貨幣の投入を受け付けることによって精算処理を自端末で実行し、他端末に登録情報を送信することによって（またはお会計券を発行することによって）精算処理を他端末に実行させる。
【００５６】
また、通常モード（標準モード）は、図５（Ａ）に示すように、他端末からの登録情報の受信も、お会計券の読取も、いずれも有効「〇」とした動作モードである。つまり、通常モード（標準モード）では、他端末において生成された登録情報に基づいて精算処理を実行可能である。なお、登録情報の受信後（またはお会計券の読取後）の精算処理は、図５（Ａ）のセミセルフモードとして実行してもよい。すなわち、通常モード（標準モード）であるときに、登録情報を受信した（またはお会計券を読み取った）場合には、通常モード（標準モード）からセミセルフモード（会計専用モード）に自動的（店員による許可を求めてもよい）に移行し、セミセルフモード（会計専用モード）として精算処理を実行してもよい。また、セミセルフモード（会計専用モード）に移行して精算処理を実行した場合には、セミセルフモード（会計専用モード）から通常モード（標準モード）に自動的（店員による許可を求めてもよい）に移行（復帰）してもよいし、セミセルフモード（会計専用モード）のままとしてもよい。
【００５７】
なお、通常モード（標準モード）において、他端末からの登録情報の受信、お会計券の読取の少なくとも一方を無効「−」としてもよい。
【００５８】
（フルセルフモード）
フルセルフモードは、図５（Ａ）に示すように、商品登録（客側）を有効「〇」とした動作モードである。つまり、フルセルフモードは、客側における登録処理を前提とした動作モードである。但し、フルセルフモードは、商品登録（店員側）も有効「〇」としている。つまり、フルセルフモードは、客側における登録処理を前提としつつ、店員側における登録処理も許容する動作モードである。なお、客側、店員側の両側において登録処理が行われている状態をダブルスキャンモードと称する場合がある。
【００５９】
なお、図５（Ａ）に示した例では、フルセルフモードにおいて、商品登録（店員側）を有効「〇」としているが、フルセルフモードにおいて、商品登録（店員側）を無効「−」としてもよい。
【００６０】
また、フルセルフモードは、図５（Ａ）に示すように、貨幣の投入を有効「〇」とし、他端末への登録情報の送信とお会計券の発行とを無効「−」とした動作モードである。つまり、フルセルフモードは、当該端末における精算処理を前提とした動作モードである。
【００６１】
また、フルセルフモードは、図５（Ａ）に示すように、通常モード（標準モード）と同様、他端末からの登録情報の受信も、お会計券の読取も、いずれも有効「〇」とした動作モードである。つまり、通常モード（標準モード）と同様、フルセルフモードでは、他端末において生成された登録情報に基づいて精算処理を実行可能である。なお、登録情報の受信後（またはお会計券の読取後）の精算処理は、図５（Ａ）のセミセルフモードとして実行してもよい。すなわち、フルセルフモードであるときに、登録情報を受信した（またはお会計券を読み取った）場合には、フルセルフモードからセミセルフモード（会計専用モード）に自動的に移行し、セミセルフモード（会計専用モード）として精算処理を実行してもよい。また、セミセルフモード（会計専用モード）に移行して精算処理を実行した場合には、セミセルフモード（会計専用モード）からフルセルフモードに自動的に移行（復帰）してもよいし、セミセルフモード（会計専用モード）のままとしてもよい。
【００６２】
（セミセルフモード（会計専用モード））
セミセルフモード（会計専用モード）は、図５（Ａ）に示すように、他端末からの登録情報の受信、お会計券の読取、貨幣の投入を有効「〇」とし、商品登録（店員側）や商品登録（客側）を無効「−」とした動作モードである。つまり、セミセルフモード（会計専用モード）は、自端末においては登録処理を実行せず、専ら、他端末において生成された登録情報に基づいて精算処理を実行する動作モードである。なお、セミセルフモード（会計専用モード）では、登録処理を実行しない動作モードであるため（登録情報を生成しないため）、図５（Ａ）に示すように、他端末への登録情報の送信も、お会計券の発行も、無効「−」としている。
【００６３】
（通常モード（制限モード））
通常モード（制限モード）は、図５（Ｂ）に示すように、図５（Ａ）の通常モード（標準モード）において有効「〇」としていた他端末への登録情報の送信とお会計券の発行とを無効「−」としたものである。つまり、通常モード（制限モード）は、通常モード（標準モード）においては許容されている他端末に精算処理を実行させる機能を制限した動作モードである。
【００６４】
（セミセルフモード（登録専用モード））
セミセルフモード（登録専用モード）は、図５（Ｂ）に示すように、商品登録（店員側）、他端末への登録情報の送信、お会計券の発行を有効「〇」とし、商品登録（客側）、貨幣の投入、他端末からの登録情報の受信、お会計券の読取を無効「−」とした動作モードである。つまり、セミセルフモード（登録専用モード）は、専ら、自端末において登録処理を実行し、他端末に精算処理を実行させる動作モードである。なお、セミセルフモード（登録専用モード）は、店員による登録操作を前提としているため、商品登録（客側）を無効「−」としている。
【００６５】
（機能の有効、無効について）
なお、上記では、ＰＯＳ端末２０は、動作モードに応じて、ＰＯＳ端末２０自身が備える各種の機能（図５（Ａ）の商品登録（店員側）、商品登録（客側）、貨幣の投入、…、お会計券の読取）の夫々について、有効「〇」であるか無効「−」であるかが異なる旨を説明した。換言すれば、上記では、ＰＯＳ端末２０は、全部の機能（図５（Ａ）の商品登録（店員側）、商品登録（客側）、貨幣の投入、…、お会計券の読取）を元々有し、うち一部の機能を動作モードに応じて無効とする旨を説明した（例えば、図５（Ａ）に示すように、ＰＯＳ端末２０は、通常モード（標準モード）であるときは商品登録（客側）を無効「−」とし、フルセルフモードであるときは他端末への登録情報の送信とお会計券の発行とを無効「−」としている）。
【００６６】
しかしながら、ＰＯＳ端末２０は、動作モードに応じて実行可能な機能が異なればよく、ＰＯＳ端末２０は、必ずしも、全部の機能を元々有し、うち一部の機能を動作モードに応じて無効とするといった構成としなくてもよい。例えば、ＰＯＳ端末２０は、初めから全部の機能（該機能を実現するためのプログラム）を有するのではなく、動作モードに応じて（例えば、動作モードの切り替えに際し）、当該動作モードにおいて必要となる機能（図５において有効「〇」とした機能に相当する機能）を実現するためのプログラムを外部（例えば、ストアコントローラ１０、監視端末、店外のサーバ（クラウド等）等）から取得して実行可能な状態とするとともに、当該動作モードに不要な機能（図５において無効「−」とした機能に相当する機能）を実現するためのプログラムが存在する場合（保持する場合）には当該プログラムを実行不能な状態としてもよい（例えば消去するようにしてもよい）。なお、不要な機能を実現するためのプログラムを実行不能な状態とした後に必要な機能を実現するためのプログラムを取得して実行可能な状態としてもよい。また例えば、ＰＯＳ端末２０は、動作モードの切り替えに際し、移行先の動作モードに関わらず、一旦、全部のプログラムを実行不能な状態とした後に、当該動作モードにおいて必要となる機能を実現するためのプログラムを外部から取得して実行可能な状態としてもよい。つまり、ＰＯＳ端末２０の構成としては、動作モードに応じて、元々具備する各種の機能のうちの一部を無効「−」にするといったものであってもよいし、動作モードに応じて、必要な機能のみを適宜を具備させるといったものであってもよい。
【００６７】
以上、図５（Ａ）の通常モード（標準モード）、フルセルフモード、セミセルフモード（会計専用モード）、図５（Ｂ）の通常モード（制限モード）、セミセルフモード（登録専用モード）について説明したが、以下、図５（Ａ）の通常モード（標準モード）、フルセルフモード、セミセルフモード（会計専用モード）を中心に説明する。なお、以下の説明において、通常モード（標準モード）を単に通常モードと称する場合がある。また、セミセルフモード（会計専用モード）を単にセミセルフモードと称する場合がある。
【００６８】
（動作モードの切り替え（移行））
続いて、ＰＯＳ端末２０の動作モードの切り替え（移行）について説明する。ＰＯＳ端末２０は、基本的には、店員による動作モードの切り替えるための明示的なモード切替操作（モード移行操作とも称する。詳細は後述する）に従って動作モードが切り替わる。また、ＰＯＳ端末２０は、モード切替操作とは異なる他の操作（例えば、店員コードの読み取り等）に従って動作モードが切り替わる場合がある。
【００６９】
また、ＰＯＳ端末２０は、店員の操作によらずに、動作モードが切り替わる場合がある。具体的には、ＰＯＳ端末２０は、他端末（ＰＯＳ端末２０、監視端末、携帯端末等）からのモード切替命令（モード切替指示）に従って動作モードが切り替わる場合がある。また、ＰＯＳ端末２０は、時間的な条件（例えば、最後に操作してからの経過時間、スケジュールによる定刻等）に従って動作モードが切り替わる場合がある。また、ＰＯＳ端末２０は、処理の開始時（例えば、受信した登録情報に基づく精算処理の開始時、お会計券に基づく精算処理の開始時等）に動作モードが切り替わるようにしてもよい。また、ＰＯＳ端末２０は、処理の終了時（例えば、受信した登録情報に基づく精算処理の終了時、お会計券に基づく精算処理の終了時）に動作モードが切り替わるようにしてもよい。
【００７０】
図６は、ＰＯＳ端末２０の動作モードの切り替えについて説明する図である。図６の左側は切り替え前後の動作モードの組み合せ（切替前の動作モード→切替後の動作モード）を示し、右側は動作モードの切り替えの条件（一例）を示している。例えば、ａの行は、通常モードからフルセルフモードへの動作モードの切り替えの条件の一例として、モード切替操作、モード切替命令、所定時間経過（不使用）である旨を示している。つまり、動作モードが通常モードであるときに、例えば、モード切替操作、モード切替命令、所定時間経過（不使用）などがあった場合には、動作モードが通常モードからフルセルフモードに切り替わる旨を示している。なお、モード切替操作の詳細は後述する。
【００７１】
（通常モード→フルセルフモード）
ａに示すように、通常モードであるときに、例えば、モード切替操作、モード切替命令（移行先の動作モードとしてフルセルフモードが特定されているモード切替命令等）、所定時間経過（所定時間の不使用）などがあった場合には、通常モードからフルセルフモードに動作モードが切り替わる。
【００７２】
（通常モード→セミセルフモード（会計専用モード））
ｂに示すように、通常モードであるときに、例えば、モード切替操作、モード切替命令（移行先の動作モードとしてセミセルフモード（会計専用モード）が特定されているモード切替命令等）などがあった場合には、通常モードからセミセルフモード（会計専用モード）に動作モードが切り替わる。また、通常モードであるときに、例えば、他端末から登録情報を受信した場合やお会計券を読み取った場合に、通常モードからセミセルフモード（会計専用モード）に動作モードが切り替わるようにしてもよい。
【００７３】
（フルセルフモード→通常モード）
ｃに示すように、フルセルフモードであるときに、例えば、モード切替操作、モード切替命令（移行先の動作モードとして通常モードが特定されているモード切替命令等）などがあった場合には、フルセルフモードから通常モードに動作モードが切り替わる。
【００７４】
（フルセルフモード→セミセルフモード（会計専用モード））
ｄに示すように、フルセルフモードであるときに、例えば、モード切替操作、モード切替命令（移行先の動作モードとしてセミセルフモード（会計専用モード）が特定されているモード切替命令等）などがあった場合には、フルセルフモードからセミセルフモード（会計専用モード）に動作モードが切り替わる。また、フルセルフモードであるときに、例えば、他端末から登録情報を受信した場合やお会計券を読み取った場合に、フルセルフモードからセミセルフモード（会計専用モード）に動作モードが切り替わるようにしてもよい。
【００７５】
（フルセルフモード→ダブルスキャンモード）
ｅに示すように、フルセルフモードであるときに、例えば、店員コードの読み取りなどがあった場合には、フルセルフモードからダブルスキャンモードに動作モードが切り替わる。なお、ダブルスキャンモードは、フルセルフモードの一態様（商品登録（客側）の機能に加え、商品登録（店員側）の機能が使用されている状態。図５（Ａ）参照）である。
【００７６】
なお、フルセルフモードであるときに店員コードの読み取りなどがあった場合には、商品登録の状態にかかわらず、常にダブルスキャンモードに動作モードが切り替わるようにしてもよいし、商品登録の状態に応じて異なる動作モードに切り替わるようにしてもよい。例えば、未だ商品の登録が行われていないときに店員コードの読み取りなどがあった場合には（つまり、客による商品登録が行われていない状態では）、フルセルフモードから通常モードに切り替わり、既に商品の登録が行われているときに店員コードの読み取りなどがあった場合には（つまり、客による商品登録が行われている状態では）、フルセルフモードからダブルスキャンモードに切り替わるようにしてもよい。
【００７７】
（セミセルフモード（会計専用モード）→通常モード）
ｆに示すように、セミセルフモード（会計専用モード）であるときに、例えば、モード切替操作、モード切替命令（移行先の動作モードとして通常モードが特定されているモード切替命令等）などがあった場合には、セミセルフモード（会計専用モード）から通常モードに動作モードが切り替わる。また、セミセルフモード（会計専用モード）であるときに、例えば、精算処理（例えば、受信した登録情報に基づく精算処理、お会計券に基づく精算処理）が終了した場合に、セミセルフモード（会計専用モード）から通常モードに動作モードが切り替わるようにしてもよい。
【００７８】
（セミセルフモード（会計専用モード）→フルセルフモード）
ｇに示すように、セミセルフモード（会計専用モード）であるときに、例えば、モード切替操作、モード切替命令（移行先の動作モードとしてフルセルフモードが特定されているモード切替命令等）などがあった場合には、セミセルフモード（会計専用モード）からフルセルフモードに動作モードが切り替わる。また、セミセルフモード（会計専用モード）であるときに、例えば、精算処理（例えば、受信した登録情報に基づく精算処理、お会計券に基づく精算処理）が終了した場合に、セミセルフモード（会計専用モード）からフルセルフモードに動作モードが切り替わるようにしてもよい。
【００７９】
なお、モード切替操作は、操作に応じて移行先の動作モードが特定されるものであればよい。例えば、移行先別の夫々のボタンを備える場合（又は表示する場合）には、夫々のボタンを押下するモード切替操作に応じて、夫々の移行先に動作モードが切り替わるようにしてもよい。また、押下毎に移行先が切り替わる１つのボタンを備える場合（又は表示する場合）には、当該ボタンを押下するモード切替操作毎に、動作モードが切り替わるようにしてもよい。
【００８０】
なお、移行先の動作モードを選択するためのボタンと、該ボタンによって選択した動作モードへの移行を決定するためのボタンを別個に備える（又は表示する）ようにしてもよい。
【００８１】
（モード切替操作による動作モードの移行）
続いて、モード切替操作による動作モードの移行について説明する。ＰＯＳ端末２０は、店員による明示的なモード切替操作に従って動作モードが切り替わる（図６参照）。具体的には、キー操作部２１１の最上段かつ最右端に配置されているモード切替ボタン２１１ａ（図３（Ｂ）参照）の操作に従って動作モードが切り替わる。
【００８２】
なお、モード切替ボタン２１１ａをキー操作部２１１の角部に配置したため、動作モードを切り替える際の操作ミスを減らすことができるとともに、容易に動作モードを切り替えることができるようになる。つまり、キー操作部２１１の角部にモード切替ボタン２１１ａが存在する場合、例えばキー操作部２１１の中央付近にモード切替ボタン２１１ａが存在する場合に比べ、例えば、操作対象であるモード切替ボタン２１１ａに隣接する他のボタン数が少ないため、慌てて他のボタンを操作するなどの操作ミスが生じ難く、また、操作対象であるモード切替ボタン２１１ａの位置を瞬時に特定できるため、ストレスなくモード切替操作を行うことができる。
【００８３】
更に、モード切替ボタン２１１ａをキー操作部２１１の右上端（最上段かつ最右端）の角部に配置したため、店員が店員側にいる場合だけでなく客側にいる場合にもモード切替操作を行うことができるようになる。つまり、客側にいる店員は、通常、キー操作部２１１の各ボタンを視認し得ないが、キー操作部２１１の右上端に存在するモード切替ボタン２１１ａについては、客側から手を伸ばし、手探り（手の感触）のみで、操作対象であるモード切替ボタン２１１ａを容易に認識し得るため、客側にいる店員は店員側に移動しなくても、モード切替操作を行うことができる。
【００８４】
なお、本実施形態では、モード切替ボタン２１１ａをキー操作部２１１の右上端の角部に配置しているが、手探りのみで認識し得る位置（比較的容易に認識できる位置）であれば、モード切替ボタン２１１ａをキー操作部２１１の右上端の角部以外の位置に配置してもよい。また、手探りのみで認識し得る位置（例えば、右上端の角部等）にモード切替ボタン２１１ａを配置することに代えて又は加えて、客側からであっても他のボタンと区別し得るようにモード切替ボタン２１１ａを形成してもよい。例えば、手探りのみで区別しうる程度に、モード切替ボタン２１１ａの大きさを他のボタンの大きさと異ならせるようにしてもよいし、モード切替ボタン２１１ａの形を他のボタンの形と異ならせるようにしてもよいし、モード切替ボタン２１１ａの高さを他のボタンの高さと異ならせるようにしてもよいし（例えば、モード切替ボタン２１１ａが他のボタンよりも飛び出ているようにしてもよいし）、モード切替ボタン２１１ａの表面（手が触れる面）の全部または一部の感触を他のボタンの感触と異ならせるようにしてもよい（例えば、モード切替ボタン２１１ａの表面だけをザラザラ、ボコボコした感触にしてもよいし、モード切替ボタン２１１ａの表面だけに突起や窪みを設けるようにしてもよい）。
【００８５】
なお、本実施形態では、上述のような種々の利点を考慮し、キー操作部２１１にモード切替ボタン２１１ａを配置しているが、キー操作部２１１にモード切替ボタン２１１ａを配置することに代えて又は加えて、店員側表示部２１０に表示される画面上にモード切替ボタン（不図示）を配置するようにしてもよい。
【００８６】
（各動作モードの動作）
図７は、通常モードの動作の概略を説明する模式図である。具体的には、図７は、通常モードにおいて、自端末において精算処理を実行する場合の処理の流れや人（店員、客）の動作を表した模式図である。図８は、通常モードの動作の概略を説明するフローチャートである。具体的には、図８は、通常モードにおいて、自端末において精算処理を実行する場合の動作の概略を説明するフローチャートである。
【００８７】
通常モード（自端末において精算処理を実行する場合も他端末に精算処理を実行させる場合も同様）では、店員は、客の買上商品を店員側（店員側スキャナ部２１２、店員側表示部２１０、キー操作部２１１）にて登録する（図７の上段）。つまり、ＰＯＳ端末２０は、店員の操作（店員側スキャナ部２１２によるスキャン、店員側表示部２１０へのタッチ、キー操作部２１１の操作）により、買上商品の登録処理を実行する（図７の上段）。
【００８８】
店員による登録処理が完了した場合、客は、店員側表示部２１０において買上商品の合計金額を確認し、釣銭機２０９に貨幣（現金）を投入、または、カード決済部２０８を操作し、精算する（図７の下段）。つまり、ＰＯＳ端末２０は、客の操作等（釣銭機２０９への現金の投入、カード決済部２０８の操作）により、精算処理を実行する（図７の下段）。
【００８９】
つまり、通常モードにおいて自端末において精算処理を実行する場合、図８に示すように、初めは店員側において、商品がスキャン等され（ステップＳ１０：ＹＥＳ）、商品を登録する（ステップＳ１１）。小計キー（例えば、店員側表示部２１０に表示された小計キー、または、キー操作部２１１に配置された小計キー等）の押下後は（ステップＳ３０：ＹＥＳ）、客側において、例えば釣銭機２０９により精算が行われ（ステップＳ５０）、処理が完了する。なお、ステップＳ３０の小計キーは、登録処理を完了させるための操作キーであり、小計ボタン、登録完了キー、登録完了ボタン、お会計キー、お会計ボタンなどと称する場合もある。
【００９０】
なお、客は、店員による登録処理が完了する迄（合計金額が確定する迄）、待機していてもよいが、登録処理が完了する前に釣銭機２０９に現金を投入してもよい。つまり、ＰＯＳ端末２０は、登録処理中において入金を受付可能である（図７の上段）。
【００９１】
また、客は、登録処理が完了する前に、支払方法（支払種別、決済方法、決済種別とも称する）を選択してもよい。つまり、ＰＯＳ端末２０は、登録処理中において支払方法の選択を受付可能である。
【００９２】
また、店員は、客による精算が完了する迄（客がお釣りやレシートが取る迄）、待機していてもよいが、次の客の買上商品を登録してもよい。つまり、ＰＯＳ端末２０は、精算処理中において次客の買上商品を登録可能である（図７の下段）。また、店員は、客による精算中に不在であってもよい（図７の下段）。つまり、当該客の精算中には、当該客の応対を終えてもよい。
【００９３】
また、ＰＯＳ端末２０は、お釣りがある場合には、お釣りの取り忘れを防止するため、釣銭機２０９による釣銭・釣札の払出しを制御し、客が釣銭・釣札を取り除いたことをセンサ等で認識した上で、印刷部２１３によるレシートの発行を制御してもよい。他の動作モードにおいても同様である。
【００９４】
図９は、通常モードの動作の概略を説明する模式図である。具体的には、図９は、通常モード（標準モード）において、他端末に精算処理を実行させる場合の処理の流れや人（店員、客）の動作を表した模式図である。図１０は、通常モードの動作の概略等を説明するフローチャートである。具体的には、図１０（Ａ）は、通常モード（標準モード）において、他端末に精算処理を実行させる場合の動作の概略を説明するフローチャートである。なお、図１０（Ｂ）は、図１０（Ａ）の他端末（他の装置）における動作の基本的な流れを示したフローチャートである。
【００９５】
通常モード（自端末において精算処理を実行する場合も他端末に精算処理を実行させる場合も同様）では、店員は、客の買上商品を店員側（店員側スキャナ部２１２、店員側表示部２１０、キー操作部２１１）にて登録する（図９の上段）。つまり、ＰＯＳ端末２０（図９の例ではＰＯＳ端末２０−１）は、店員の操作（店員側スキャナ部２１２、店員側表示部２１０、キー操作部２１１等の操作）により、買上商品の登録処理を実行する（図９の上段）。
【００９６】
店員による登録処理が完了した場合、客は、他のＰＯＳ端末２０（図９の例ではＰＯＳ端末２０−２）に移動し、店員側表示部２１０において買上商品の合計金額を確認し、釣銭機２０９に貨幣を投入、または、カード決済部２０８を操作し、精算する（図９の下段）。つまり、他のＰＯＳ端末２０は、客の操作等（釣銭機２０９への貨幣の投入、カード決済部２０８の操作）により、精算処理を実行する（図９の下段）。
【００９７】
なお、他のＰＯＳ端末２０（ＰＯＳ端末２０−２）には、精算処理に必要な情報（ＰＯＳ端末２０−１において生成された登録情報等）が供給される。
【００９８】
なお、店員は、ＰＯＳ端末２０−１において、精算処理を実行させるＰＯＳ端末２０（図９の例ではＰＯＳ端末２０−２、ＰＯＳ端末２０−３のいずれか一方）を指定する。あるいは、店員は、ＰＯＳ端末２０−１において、精算処理を実行させるＰＯＳ端末２０（図９の例ではＰＯＳ端末２０−２やＰＯＳ端末２０−３）において読み取らせる媒体（お会計券）を発行させてもよい。
【００９９】
つまり、通常モードにおいて他端末に精算処理を実行させる場合、図１０（Ａ）に示すように、初めは店員側において、商品がスキャン等され（ステップＳ１０：ＹＥＳ）、商品を登録する（ステップＳ１１）。小計キー（例えば、店員側表示部２１０に表示された小計キー、または、キー操作部２１１に配置された小計キー等）の押下後は（ステップＳ３０：ＹＥＳ）、例えば、精算処理を実行させる他のＰＯＳ端末２０が指定されると（ステップＳ３１：ＹＥＳ）、指定されたＰＯＳ端末２０に登録情報が送信され（ステップＳ３２）、登録側の処理が完了する。
【０１００】
なお、店員は、他の端末を指定した後は次客の買上商品を登録可能である（図９の下段）。また、店員は、他の端末を指定した後は不在であってもよい（図９の下段）。
【０１０１】
また、図１０（Ａ）に示した例では、小計キーの押下後に他のＰＯＳ端末２０を指定しているが、小計キーを押下せずに他のＰＯＳ端末２０を指定するようにしてもよい。例えば、登録画面上に小計キーと他のＰＯＳ端末２０を指定するためのキーとを配置し（更にお会計券を発行するためのキーも配置してもよい）、ＰＯＳ端末２０を指定するためのキーが押下された場合に登録情報を送信するようにしてもよい。小計キーを押下せずに他のＰＯＳ端末２０を指定する態様では、他のＰＯＳ端末２０を指定するためのキーの押下後に小計キーの押下は不要である。
【０１０２】
また、図１０（Ａ）に示した例では省略したが、他のＰＯＳ端末２０において読み取らせるお会計券を発行し、他のＰＯＳ端末２０に精算処理を実行させるようにしてもよい。なお、お会計券を発行するためのキーは小計キーの押下後に押下されるようにしてもよいし、小計キーの押下前に押下されるようにしてもよい。小計キーの押下前にお会計券を発行するためのキーを押下する態様では、お会計券を発行するためのキーの押下後に小計キーの押下は不要である。
【０１０３】
なお、登録情報を受信した他のＰＯＳ端末２０（図９の例ではＰＯＳ端末２０−２）は、図１０（Ｂ）に示すように、登録情報の受信後（ステップＳ４０：ＹＥＳ）、セミセルフモード（会計専用モード）でなければセミセルフモード（会計専用モード）に移行する（切り替わる）。つまり、現在（登録情報の受信時）の動作モードがフルセルフモードであれば（ステップＳ４１：ＹＥＳ）、フルセルフモードからセミセルフモード（会計専用モード）に移行し（ステップＳ４２）、現在の動作モードが通常モードであれば（ステップＳ４３：ＹＥＳ）、通常モードからセミセルフモード（会計専用モード）に移行する（ステップＳ４２）。そして、客側において、例えば釣銭機２０９により精算が行われ（ステップＳ５０）、精算側の処理が完了する。
【０１０４】
なお、図１０（Ｂ）に示した例では、登録情報を受信した他のＰＯＳ端末２０は、登録情報の受信後に、セミセルフモード（会計専用モード）でなければセミセルフモード（会計専用モード）に移行しているが、セミセルフモード（会計専用モード）に移行しなくてもよい。つまり、通常モードやフルセルフモードであっても精算処理は可能であるため（図５参照）、通常モードやフルセルフモードのまま精算処理を実行してもよい。
【０１０５】
通常モード（標準モード）は、上述したように、店員側にて登録処理を実行した後に該登録処理において生成した登録情報を用いて自端末の客側にて精算処理を実行する機能（図７、図８参照）と、該登録処理において生成した登録情報を他端末（精算処理を実行可能な他端末。例えば、他のＰＯＳ端末２０）に送信して該他端末に精算処理を実行させる機能（図９、図１０参照）と、該登録処理において生成した登録情報（または該登録情報を取得するための情報）をコード（バーコード、２次元コード等）化して印刷したお会計券を発行して該他端末に精算処理を実行させる機能とを含む。
【０１０６】
一方、通常モード（制限モード）は、図５（Ｂ）に示したように、上述した通常モード（標準モード）の機能のうち、登録処理において生成した登録情報を他端末に送信して該他端末に精算処理を実行させる機能と、該登録処理において生成した登録情報（または該登録情報を取得するための情報）をコード化して印刷したお会計券を発行して該他端末に精算処理を実行させる機能を制限したモードである。
【０１０７】
また、上述した通常モード（標準モード）の機能のうち、登録処理において生成した登録情報を他端末に送信して該他端末に精算処理を実行させる機能と、該登録処理において生成した登録情報（または該登録情報を取得するための情報）をコード化して印刷したお会計券を発行して該他端末に精算処理を実行させる機能は、セミセルフモード（登録専用モード）の機能でもある。つまり、セミセルフモードは、登録専用モードと会計専用モードとに分類可能であるが、セミセルフモード（登録専用モード）は、図５（Ｂ）に示したように、登録処理において生成した登録情報を他端末に送信して該他端末に精算処理を実行させる機能と、該登録処理において生成した登録情報（または該登録情報を取得するための情報）をコード化して印刷したお会計券を発行して該他端末に精算処理を実行させる機能とを含む。換言すれば、セミセルフモード（登録専用モード）は、上述した通常モード（標準モード）の機能のうち、店員側にて登録処理を実行した後に該登録処理において生成した登録情報を用いて自端末の客側にて精算処理を実行する機能を制限したモードである。つまり、セミセルフモード（登録専用モード）は、専ら登録処理を実行する動作モードである。
【０１０８】
なお、セミセルフモード（会計専用モード）は、図５（Ａ）に示したように、他端末における登録処理において生成された登録情報を受信して精算処理を実行する機能と、他端末において発行されたお会計券を読み取って精算処理を実行する機能を含む。つまり、セミセルフモード（会計専用モード）は、専ら精算処理を実行する動作モードである。
【０１０９】
図１１は、フルセルフモードの動作の概略を説明する模式図である。図１２は、フルセルフモードの動作の概略を説明するフローチャートである。
【０１１０】
フルセルフモードでは、客は、自身の買上商品を客側（客側スキャナ部２０６、客側表示部２０５）にて登録する（図１１の上段）。つまり、ＰＯＳ端末２０は、客の操作（客側スキャナ部２０６によるスキャン、客側表示部２０５へのタッチ）により、買上商品の登録処理を実行する（図１１の上段）。
【０１１１】
登録処理が完了した場合、客は、客側表示部２０５において買上商品の合計金額を確認し、釣銭機２０９に現金を投入、または、カード決済部２０８を操作し、精算する（図１１の下段）。つまり、ＰＯＳ端末２０は、客の操作等（釣銭機２０９への現金の投入、カード決済部２０８の操作）により、精算処理を実行する（図１１の下段）。
【０１１２】
つまり、フルセルフモードの場合、図１２に示すように、客側において、商品がスキャン等され（ステップＳ２０：ＹＥＳ）、商品を登録する（ステップＳ２１）。登録完了キー（例えば、客側表示部２０５に表示された登録完了キー等）の押下後は（ステップＳ４０：ＹＥＳ）、客側において、例えば釣銭機２０９により精算が行われ（ステップＳ５０）、処理が完了する。なお、ステップＳ４０に係る登録完了キーは、登録処理を完了させるための操作キーであり、登録完了ボタン、小計キー、小計ボタン、お会計キー、お会計ボタンなどと称する場合もある。
【０１１３】
なお、フルセルフモードは、図１１に示したように、客側にて登録処理も精算処理も実行するが、店員側は何もできないという訳ではない。つまり、ＰＯＳ端末２０は、フルセルフモードで動作しているときであっても、例えば、店員側にて商品をスキャンしたり（ダブルスキャンモード）、店員側にて各種の情報を表示したりすることが可能である。
【０１１４】
図１３は、ダブルスキャンモードの動作の概略を説明する模式図である。図１４は、ダブルスキャンモードの動作の概略を説明するフローチャートである。なお、ダブルスキャンモードは、フルセルフモードの一態様であるが、図１３、図１４では、便宜上、両動作モードを区別して説明する。
【０１１５】
フルセルフモードでは、客は、自身の買上商品を客側にて登録する（図１１の上段、図１３の上段）。つまり、ＰＯＳ端末２０は、客の操作により、買上商品の登録処理を実行する（図１１の上段、（図１３の上段））。
【０１１６】
客による登録処理の途中において、店員が、客の買上商品を店員側にて登録する（図１３の中段）。つまり、ＰＯＳ端末２０は、客の操作による登録処理と店員の操作による登録処理を実行する（図１３の中段）。
【０１１７】
登録処理が完了した場合、客は、客側表示部２０５において買上商品の合計金額を確認し、釣銭機２０９に現金を投入、または、カード決済部２０８を操作し、精算する（図１３の下段）。つまり、ＰＯＳ端末２０は、客の操作等（釣銭機２０９への現金の投入、カード決済部２０８の操作）により、精算処理を実行する（図１３の下段）。
【０１１８】
つまり、フルセルフモードにおいて登録処理を実行しているときに（図１２参照）、図１４（Ａ）に示すように、店員側スキャナ部２１２において店員コードが読み取られた場合（ステップＳ１１０：ＹＥＳ）、動作モードがフルセルフモードからダブルスキャンモードに移行する（ステップＳ１１１）。
【０１１９】
ダブルスキャンモードに移行した後は、図１４（Ｂ）に示すように、店員側スキャナ部２１２のスキャン等により（ステップＳ１０：ＹＥＳ）、商品を登録し（ステップＳ１１）、客側スキャナ部２０６のスキャン等により（ステップＳ２０：ＹＥＳ）、商品を登録する（ステップＳ２１）。小計キー（例えば、店員側表示部２１０に表示された小計キー、又は、キー操作部２１１に配置された小計キー等）、又は、登録完了キー（例えば、客側表示部２０５に表示された登録完了キー等）の押下後は（ステップＳ４１：ＹＥＳ）、客側において、例えば釣銭機２０９により精算が行われ（ステップＳ５０）、処理が完了する。
【０１２０】
なお、ダブルスキャンモードでは、店員は、客による精算が完了する迄（客がお釣りやレシートが取る迄）、待機していてもよいが、次の客の買上商品を登録してもよい。つまり、ＰＯＳ端末２０は、精算処理中において次客の買上商品を登録可能である（図１３の下段）。また、店員は、客による精算中に不在であってもよい（図１３の下段）。つまり、当該客の精算中には、当該客の応対を終えてもよい。
【０１２１】
なお、図１４（Ａ）に示したように、フルセルフモードにおいて店員コードが読み取られた場合に動作モードがフルセルフモードからダブルスキャンモードに移行するが、店員コードの読み取りは、ログイン操作の一つであってもよい。また、フルセルフモードにおいて他の操作（例えば、店員コードの読み取りとは異なるログイン操作）があった場合に動作モードがフルセルフモードからダブルスキャンモードに移行してもよい。また、ダブルスキャンモードにおいて店員による操作が行われなくなった場合に（例えば、最後の操作の時点から所定時間が経過した場合に）動作モードがダブルスキャンモードからフルセルフモードに移行してもよい。
【０１２２】
（動作モードの報知）
各ＰＯＳ端末２０は、自端末の現在の動作モードを報知してもよい。例えば、各ＰＯＳ端末２０は、店員側表示部２１０において自端末の現在の動作モードを表示してもよい。具体的には、各ＰＯＳ端末２０は、店員側表示部２１０に自端末の動作モード表示欄を有する画面を表示し、該画面上の動作モード表示欄に自端末の現在の動作モードを表示してもよい。また、各ＰＯＳ端末２０は、各動作モードに対応する画像（例えば、ボタン風の画像）を配置した画面を店員側表示部２１０に表示し、該画面上において自端末の現在の動作モードを対応する画像を現在の動作モードに対応しない画像とは異なる表示態様（例えば、他の画像の表示態様よりも目立つ表示態様）にて表示してもよい。例えば、通常モードとフルセルフモードの２つの動作モードにより運用する場合、通常モード画像とフルセルフモード画像とを常に表示するとともに、自端末の現在の動作モードが通常モードであるときには通常モード画像をフルセルフモード画像よりも目立つ表示態様にて表示し、自端末の現在の動作モードがフルセルフモードであるときにはフルセルフモード画像を通常モード画像よりも目立つ表示態様にて表示するなどしてもよい。なお、各ＰＯＳ端末２０は、客側表示部２０５においても同様に自端末の現在の動作モードを表示してもよい。
【０１２３】
また、各ＰＯＳ端末２０は、自端末の現在の動作モードに代えて又は加えて、他端末の現在の動作モードを報知してもよい。つまり、各ＰＯＳ端末２０が互いに他端末の現在の動作モードを認識することにより、他端末の現在の動作モードを報知してもよい。各ＰＯＳ端末２０が互いに他端末の現在の動作モードを認識する方法の一例は、各ＰＯＳ端末２０が動作モードの移行後に移行後の動作モード（最新の動作モード）を他端末に通知（ＬＡＮ１１を介して、他端末に直接的に通知、または、ストアコントローラ１０や監視端末などを経由して他端末に通知）する方法である。また、各ＰＯＳ端末２０は、他端末の現在の動作モードと同様、他端末の現在の処理状況を報知してもよい。
【０１２４】
また、各ＰＯＳ端末２０は、自端末の現在の動作モード等（動作モード、処理状況等）に応じた情報を報知してもよい。例えば、各ＰＯＳ端末２０は、自端末の現在の動作モードがフルセルフモードである場合、例えば待機中であるときに、各種の情報を客側表示部２０５に表示してもよい。また、ＰＯＳ端末２０は、自端末の現在の動作モードに応じた情報に代えて又は加えて、他端末の現在の動作モード等に応じた情報を報知してもよい。
【０１２５】
なお、店員による操作によって動作モードが切り替わった場合（モード切替操作、店員コードの読み取り等による場合）であっても、店員の操作によらずに動作モードが切り替わった場合（モード切替命令、所定時間経過等による場合）であっても、自端末や他端末の動作モードを報知する。
【０１２６】
（動作モードに関する情報の記憶）
各ＰＯＳ端末２０は、動作モードに関する情報として、取引（処理）が何れの動作モードにおいてなされたかを記憶してもよい。例えば、通常モード（標準モード）で動作するＰＯＳ端末２０−１が、ある取引について登録処理及び精算処理を実行した場合には、登録処理及び精算処理を実行したＰＯＳ端末２０−１は、当該取引に関する情報（例えば、精算情報）として（又は、当該取引に関する情報に対応付けて）、当該取引に関する登録処理及び精算処理が通常モード（標準モード）においてなされた旨の情報（例えば、動作モードを識別可能な情報等）を記憶してもよい。
【０１２７】
なお、各ＰＯＳ端末２０は、取引（処理）が何れの端末においてなされたかも記憶してもよい。上記例では、ＰＯＳ端末２０−１は、取引に関する情報として、自端末（ＰＯＳ端末２０−１）において登録処理及び精算処理が実行された旨の情報を記憶してもよい。より詳細には、ＰＯＳ端末２０−１は、登録処理を実行した端末の識別情報（端末識別情報）として自端末の端末識別情報を記憶するとともに、精算処理を実行した端末の端末識別情報として自端末の端末識別情報を記憶してもよい。あるいは、ＰＯＳ端末２０−１は、当該処理全体（登録処理、精算処理）を実行した端末の端末識別情報として自端末の端末識別情報を記憶してもよい。
【０１２８】
また、例えば、初めに、通常モード（標準モード）で動作するＰＯＳ端末２０−１が、ある取引について登録処理を実行し、続いて、セミセルフモード（会計専用モード）で動作するＰＯＳ端末２０−２が、上記登録処理による登録情報に基づいて当該取引について精算処理を実行した場合には、精算処理を実行したＰＯＳ端末２０−２は、当該取引に関する情報（例えば、精算情報）として（又は、当該取引に関する情報に対応付けて）、当該取引に関する登録処理が通常モード（標準モード）においてなされた旨の情報を記憶するとともに、当該取引に関する精算処理がセミセルフモード（会計専用モード）においてなされた旨の情報を記憶してもよい。また、上記に加えて、登録処理を実行したＰＯＳ端末２０−１も、当該取引に関する登録処理が通常モード（標準モード）においてなされた旨の情報を記憶してもよい。
【０１２９】
なお、上記例では、精算処理を実行したＰＯＳ端末２０−２は、取引に関する情報として、他端末（ＰＯＳ端末２０−１）において登録処理が実行された旨の情報を記憶し、自端末（ＰＯＳ端末２０−２）において精算処理が実行された旨の情報を記憶してもよい。より詳細には、ＰＯＳ端末２０−２は、登録処理を実行した端末の情報（端末識別情報）として他端末（ＰＯＳ端末２０−１）の端末識別情報を記憶するとともに、精算処理を実行した端末の端末識別情報として自端末（ＰＯＳ端末２０−２）の端末識別情報を記憶してもよい。なお、上記例では、精算処理を実行するＰＯＳ端末２０−２の側において、登録処理を実行したＰＯＳ端末２０−１の端末識別情報と動作モード（具体的には通常モード（標準モード））を識別する情報とが取得できるようになっていればよい。例えば、ＰＯＳ端末２０−１の側からＰＯＳ端末２０−２の側に、ＰＯＳ端末２０−１の端末識別情報と動作モードを識別する情報とが供給（例えば、登録情報として送受信、お会計券を介して供給）されるようになっていればよい。
【０１３０】
また、各ＰＯＳ端末２０は、動作モードに関する情報として、動作モードの移行（切り替わり）について記憶してもよい。例えば、ＰＯＳ端末２０−１の動作モードが、ある動作モードから他の動作モードに移行した場合には、当該ＰＯＳ端末２０−１は、動作モードの移行時刻とともに、何れの動作モードに移行したかの情報（例えば、移行後の動作モードを識別可能な情報等）を記憶してもよい。また、ＰＯＳ端末２０−１は、動作モードの移行時刻とともに、何れの動作モードから何れの動作モードに移行したかの情報（例えば、移行前の動作モードを識別可能な情報、移行後の動作モードを識別可能な情報等）を記憶してもよい。
【０１３１】
なお、各ＰＯＳ端末２０は、店員による操作によって動作モードが切り替わった場合（モード切替操作、店員コードの読み取り等による場合）であっても、店員の操作によらずに動作モードが切り替わった場合（モード切替命令、所定時間経過等による場合）であっても、動作モードの移行に関する情報を記憶してもよい。上記の場合、各ＰＯＳ端末２０は、何に基づいて動作モードが移行したかの情報（例えば、店員コード「×××」の店員による操作によって動作モードが移行した旨、端末識別情報「×××」のＰＯＳ端末２０からのモード切替命令によって動作モードが移行した旨など）を記憶してもよい。
【０１３２】
なお、ＰＯＳ端末２０に代えて又は加えて、ストアコントローラ１０や監視端末などが、動作モードに関する情報を記憶してもよい。
【０１３３】
また、上述のように記憶する動作モードに関する情報は、必要に応じて、出力（表示、送信、印刷等）されるものであってもよい。例えば、ＰＯＳ端末２０は、フルセルフモードにおいて出力されるレシートに、フルセルフモードにおいて処理（登録処理、精算処理）された旨の情報（店員にのみが内容を認識できる態様の情報、又は、客にも認識できる態様の情報）を印刷してもよい。他の動作モードにおいて出力されるレシートも同様に印刷してもよい。また、例えば、ＰＯＳ端末２０（又は監視端末）は、処理時の動作モードを表示してもよい。一例として、ＰＯＳ端末２０（又は監視端末）は、所定の検索画面等に取引番号（取引を識別可能な情報）の入力があった場合に、該当する取引に関し、登録処理と精算処理のうちの少なくとも一方について、処理がなされた端末（端末識別情報等）と動作モード（動作モードを識別可能な情報）とを表示してもよい。
【０１３４】
以下の説明においては、第１ＰＯＳ端末２０−１〜第３ＰＯＳ端末２０−３のうちの第１ＰＯＳ端末２０−１を自端末（ＰＯＳ端末２０）として説明する。また、第２ＰＯＳ端末の動作モードは通常モードであり、第３ＰＯＳ端末２０−３の動作モードはフルセルフモードであるとして説明する。
【０１３５】
（通常モードのＰＯＳ端末２０における画面の表示）
次に、通常モードのＰＯＳ端末２０における画面の表示について説明する。図１５〜図２０は、通常モードのＰＯＳ端末２０における表示例である。具体的には、図１５（Ａ）、図１６（Ａ）、図１７（Ａ）、図１８（Ａ）、図１９（Ａ）、図２０（Ａ）は、何れも、通常モード（標準モード）のＰＯＳ端末２０の店員側表示部２１０における表示例である。図１５（Ｂ）、図１６（Ｂ）、図１７（Ｂ）、図１８（Ｂ）、図１９（Ｂ）、図２０（Ｂ）は、何れも、通常モード（標準モード）のＰＯＳ端末２０の客側表示部２０５における表示例である。
【０１３６】
図１５（Ａ）は、店員側表示部２１０における初期状態の登録画面における表示内容を示している。以下の説明において初期状態とは、別段の断りがない限り、処理が進行していない状態、例えば、商品が未だ何も登録されていない状態、かつ、支払（決済）について未だ何もなされていない状態（支払方法の選択も現金の投入も品券類の登録もなされていない状態等）、かつ、客について未だ何もなされていない状態（会員カード等の読み取り等がなされていない状況等）である。
【０１３７】
図１５（Ａ）において、画面右上のタブ領域Ｔ１は、各表示内容（表示画面）に対応するタブである。ＰＯＳ端末２０は、当該客の登録処理を中断（中断理由は、買上商品の追加のため店内に戻るためなどである）し、次客の登録処理が可能である。つまり、ＰＯＳ端末２０は、店員の操作に基づいて、当該客用の登録画面の表示内容（登録内容）を保持（記憶）しつつ、次客用の新たな登録画面を表示する。図１５（Ａ）に示した例ではタブは１つ（タブ領域Ｔ１）であるが、ＰＯＳ端末２０は、進行中の登録画面数（客数）に応じた数のタブを表示し（タブ領域Ｔ１、Ｔ２、Ｔ３、…）、タブの操作（押下）に応じて有効（アクティブ）にする登録画面を切り替える。
【０１３８】
タブ領域Ｔ１には、当該タブを他のタブと識別する情報（図１５（Ａ）の例では数字「１」）が表示されている。また、タブ領域Ｔ１には、客からの預り金額を表示する表示欄ＨＲ０１が設けられている。また、図１５（Ａ）に示した例では表示していないが、タブ領域Ｔ１には、上記以外にも種々の情報（後述）が表示される。
【０１３９】
画面左下の画像ＧＡ０２は、他端末（第２ＰＯＳ端末２０−２）の状態（具体的には通常モードである旨）を示している。画面左下の画像ＧＡ０３は、他端末（第３ＰＯＳ端末２０−３）の状態（具体的にはフルセルフモードである旨）を示している。
【０１４０】
図１５（Ｂ）は、初期状態の客側表示部２０５における表示内容を示している。つまり、ＰＯＳ端末２０は、店員側表示部２１０において図１５（Ａ）に示したように登録画面を表示しているときは、客側表示部２０５において図１５（Ｂ）に示したように小画面（小ウィンドウ）ＳＧ０１を精算画面（入金画面）に重畳させて表示する。
【０１４１】
小画面ＳＧ０１は、支払方法を客に選択させるものである。客は、小画面ＳＧ０１において、支払方法として現金、クレジットまたは電子マネーの何れかを選択する。客は、支払方法として現金を希望する場合には、小画面ＳＧ０１において支払方法として現金を選択する前に現金（預り金）を投入してもよい。ＰＯＳ端末２０は、小画面ＳＧ０１において何れかの支払方法が選択された場合には小画面ＳＧ０１を消去する。また、ＰＯＳ端末２０は、小画面ＳＧ０１において支払方法が選択される前に現金の投入があった場合には支払方法として現金が選択されたものとして処理し、小画面ＳＧ０１を消去する。
【０１４２】
ＰＯＳ端末２０は、店員側表示部２１０に図１５（Ａ）の登録画面を表示している状態から、店員によって缶ビールが登録された場合、店員側表示部２１０に図１６（Ａ）に示したような登録画面を表示する。
【０１４３】
図１６（Ａ）において、画面右下の小計ボタンＢＴ１０は、商品登録の終了を指示するためのボタンである。店員は、商品登録が完了した後に小計ボタンＢＴ１０を操作（タッチ）する。
【０１４４】
２０−２レジボタンＢＴ１２は、２０−２レジ（第２ＰＯＳ端末２０−２）を指定するためボタンである。店員は、登録情報を送信する端末として第２ＰＯＳ端末２０−２を指定する場合には２０−２レジボタンＢＴ１２を操作する。２０−２レジボタンＢＴ１２に示された「（通常）」は、２０−２レジボタンＢＴ１２に対応する第２ＰＯＳ端末２０−２の動作モードが通常モードである旨を示している。
【０１４５】
２０−３レジボタンＢＴ１３は、２０−３レジ（第３ＰＯＳ端末２０−３）を指定するためボタンである。店員は、登録情報を送信する端末として第３ＰＯＳ端末２０−３を指定する場合には２０−３レジボタンＢＴ１３を操作する。２０−３レジボタンＢＴ１３に示された「（フルセルフ）」は、２０−３レジボタンＢＴ１３に対応する第３ＰＯＳ端末２０−３の動作モードがフルセルフモードである旨を示している。
【０１４６】
お会計券ボタンＢＴ１５は、印刷部２１３にてお会計券を発行させるためのボタンである。店員は、お会計券を読み取ったＰＯＳ端末２０（客がお会計券を読み取らせたＰＯＳ端末２０）において処理を実行させる場合にはお会計券ボタンＢＴ１５を操作する。
【０１４７】
なお、登録情報の送信先のＰＯＳ端末２０として、通常モードのＰＯＳ端末２０とフルセルフモードのＰＯＳ端末２０とを比較した場合、通常モードのＰＯＳ端末２０よりもフルセルフモードのＰＯＳ端末２０の方が、登録情報の送信先として好ましい。通常モードのＰＯＳ端末２０は、基本的に店員が付いて操作を行うものであるため（図７、図８参照）、処理（例えば、登録処理、客対応等）が継続して存在し、登録情報を送信したとしても直ぐに処理できない可能性が高く、また仮に空いているとしても（店員も客も付いていないとしても）、店員のサポートを希望する客に直ちに対応するため基本的に空けておくことが好ましいのに対し、フルセルフモードのＰＯＳ端末２０は、客が付いていなければ登録情報を送信し直ぐに処理可能であり、仮に客が付いていたとしても単に順番に処理すればよく上述のような問題は生じ難いからである。
【０１４８】
上記に鑑み、登録情報の送信先のＰＯＳ端末２０として好ましいか否か、あるいは、登録情報の送信先が複数存在する場合においてどれがより好ましいかを店員に報知するようにしている。一例として、図１６（Ａ）では、登録情報の送信先として比較的好ましいフルセルフモードのＰＯＳ端末２０−３に対応する２０−３レジボタンＢＴ１３の輪郭部分を実線で示し、登録情報の送信先として比較的好ましくない通常モードのＰＯＳ端末２０−２に対応する２０−２レジボタンＢＴ１２の輪郭部分を破線で示している。なお、上述の輪郭部分による報知は、一例であって、登録情報の送信先のＰＯＳ端末２０として好ましいか否か、あるいは、登録情報の送信先が複数存在する場合においてどれがより好ましいかを店員が認識できるものであれば報知態様は限定しない。例えば、比較的好ましくない方はボタンの背景色をグレーダウン表示するようにしてもよいし、ボタン全体に罰印や斜線を付加してもよい。また、登録情報の送信先のＰＯＳ端末２０として好ましいか否か等に応じて、ボタンの表示サイズ、形、表示位置を異ならせてもよいし、ボタンに何らかの情報（「優先」や「推奨」と記したバッヂ風の画像等）を付してもよい。
【０１４９】
ＰＯＳ端末２０は、店員側表示部２１０において図１６（Ａ）に示したような登録画面を表示しているときは、客側表示部２０５において図１６（Ｂ）に示したように小画面ＳＧ０１を精算画面（入金画面）に重畳させて表示する。なお、図１５（Ｂ）の精算画面（入金画面）では商品が登録されていなかったため合計金額は０円であったが、図１６（Ｂ）の精算画面（入金画面）では２１５円の缶ビールが登録されているため合計金額は２１５となっている。
【０１５０】
ＰＯＳ端末２０は、店員側表示部２１０に図１６（Ａ）の登録画面を表示している状態から、客によって５００円が投入された場合、店員側表示部２１０に図１７（Ａ）に示したような登録画面を表示する。
【０１５１】
客が５００円を投入したため、図１７（Ａ）において、画面右上の表示欄ＨＲ０１には５００が表示されている。また、５００円を投入したことにより、自端末（ＰＯＳ端末２０−１）において精算するということになるため、他端末（ＰＯＳ端末２０−２、ＰＯＳ端末２０−３）において精算する場合に使用するボタン（２０−２レジボタンＢＴ１２、２０−３レジボタンＢＴ１３、お会計券ボタンＢＴ１５）を非表示としている（消去している）。
【０１５２】
ＰＯＳ端末２０は、店員側表示部２１０において図１７（Ａ）に示したような登録画面を表示しているときは、図１７（Ｂ）に示したような精算画面（入金画面）を客側表示部２０５に表示する。なお、客によって５００円が投入されたため、小画面ＳＧ０１は消去されている。
【０１５３】
ＰＯＳ端末２０は、店員側表示部２１０に図１７（Ａ）の登録画面を表示している状態から、店員によって２品目の商品（アスパラ）、３品目の商品（のり弁当）が登録され、客によって更に５００円が投入された場合、店員側表示部２１０に図１８（Ａ）に示したような登録画面を表示する。客が５００円を追加投入したため、図１８（Ａ）において、画面右上の表示欄ＨＲ０１には１０００が表示されている。
【０１５４】
ＰＯＳ端末２０は、店員側表示部２１０において図１８（Ａ）に示したような登録画面を表示しているときは、図１８（Ｂ）に示したような精算画面（入金画面）を客側表示部２０５に表示する。
【０１５５】
ＰＯＳ端末２０は、店員側表示部２１０に図１８（Ａ）の登録画面を表示している状態から、店員によって小計ボタンＢＴ１０が操作された場合、店員側表示部２１０において図１９（Ａ）に示したように小画面（小ウィンドウ）ＳＧ０２を登録画面に重畳させて表示するとともに、客側表示部２０５に図１９（Ｂ）に示したような精算画面（入金画面）を表示する。なお、小画面ＳＧ０２は、精算関連の情報（合計金額、機器入金額（預り金額））を店員に報知するものである。
【０１５６】
ＰＯＳ端末２０は、客側表示部２０５に図１９（Ｂ）の精算画面（入金画面）を表示している状態から、客によっておわり（レシート）ボタンＢＴ４０が操作された場合、店員側表示部２１０において図２０（Ａ）に示したようにメッセージ画面ＭＧ１を登録画面に重畳させて表示するとともに、客側表示部２０５に図２０（Ｂ）に示したような精算画面（釣銭画面）を表示する。
【０１５７】
メッセージ画面ＭＧ１は、釣り銭について店員に報知するものである。ＰＯＳ端末２０は、店員の操作によらずに（例えば、所定時間経過後自動的に）、登録画面に重畳させて表示しているメッセージ画面ＭＧ１を消去する。なお、ＰＯＳ端末２０は、店員の操作（メッセージ画面ＭＧ１上のタッチ等）に応じて、登録画面に重畳させて表示しているメッセージ画面ＭＧ１を消去してもよい。
【０１５８】
図２０以降は図示を省略したが、ＰＯＳ端末２０は、客側表示部２０５には、後述する図２５（Ｅ）以降と同様の精算画面を表示し、店員側表示部２１０には精算画面に応じたメッセージを表示する。
【０１５９】
なお、上記説明では、ＰＯＳ端末２０における全体の処理に着目し、何れの処理も進行していない状態（商品未登録、現金未投入、決済種別未選択、品券類未登録、顧客情報未取得の状態）を初期状態と称したが、一部の処理に着目し、初期状態と称する場合があってもよい。例えば、現金投入商品登録状態（商品登録済、現金投入済、決済種別未選択、品券類未登録、顧客情報未取得の状態）は、全体の処理に着目した場合には初期状態とは言えないが、決済種別の選択の状態のみに着目した場合には初期状態であると言ってもよい。また、商品の登録の状態と決済種別の選択の状態の２つの状態に着目した場合には初期状態とは言えないが、決済種別の選択の状態と品券類の登録の状態の２つの状態に着目した場合には初期状態であると言ってもよい。
【０１６０】
なお、図１９に示した例では、ＰＯＳ端末２０は、小計キーが操作された場合に、登録画面に重畳させて小画面ＳＧ０２を表示しているが（図１９（Ａ））、ＰＯＳ端末２０は、小計キーが操作された場合に、登録画面に代えて（切り替えて）、小画面ＳＧ０２に表示されている情報等を表示する小計画面を表示してもよい。
【０１６１】
（フルセルフモードのＰＯＳ端末２０における画面の表示）
次に、フルセルフモードのＰＯＳ端末２０における画面の表示について説明する。図２１及び図２２は、フルセルフモードのＰＯＳ端末２０における表示例である。具体的には、図２１（Ａ）、図２１（Ｂ）、図２２（Ａ）、図２２（Ｂ）、図２３（Ａ）、図２３（Ｂ）、図２４（Ａ）、図２４（Ｂ）、図２５（Ａ）、図２５（Ｂ）、図２６（Ａ）〜図２６（Ｆ）は、何れも、フルセルフモードのＰＯＳ端末２０の客側表示部２０５における表示例である。
【０１６２】
なお、フルセルフモードのＰＯＳ端末２０における店員側表示部２１０には、原則的には、客側表示部２０５に表示される画面と同一の画面が表示される。店員側表示部２１０に客側表示部２０５の画面と同一の画面が表示されることにより、動作モードがフルセルフモードであるＰＯＳ端末２０において、店員側に店員がいる場合に、フルセルフモードで客が自ら操作している画面を店員側表示部２１０で見ることができるので、客の登録の補助や不正の発見を行いやすくできる。なお、この場合、店員側表示部２１０には、次客の登録処理が可能となる次客登録のボタンを表示するようにしてもよい。
【０１６３】
図２１（Ａ）は、登録処理の開始前の登録開始画面の表示内容を示している。図２１（Ａ）に示すように、客側表示部２０５に表示される登録開始画面には、画面右の登録スタートボタンＢＴ３０及びバーコード無商品登録スタートボタンＢＴ３１が含まれている。これらのボタンは、いずれも商品登録の開始を指示するためのボタンである。客は、バーコードが付されている商品を登録することで商品登録を開始する際に登録スタートボタンＢＴ３０を操作し、バーコードが付されていない商品（以下「バーコード無商品」という）の商品を登録することで商品登録を開始する際にバーコード無商品登録スタートボタンＢＴ３を操作する。画面左下のボタンＢＴ３５〜ＢＴ３７は、表示言語を、夫々、英語、中国語、韓国語に切り替えるためのボタンである。ボタンＢＴ３５〜ＢＴ３７については、他の種々の画面で表示されるが、その機能はいずれも共通である。
【０１６４】
図２１（Ｂ）は、商品登録が開始されたときの登録画面の表示内容を示している。図２１（Ａ）に示す登録開始画面において登録スタートボタンＢＴ３０が操作されると、図２１（Ｂ）に示す登録画面が表示される。この登録画面では、画面の左上に「商品を登録してください」というメッセージを表示して、客に商品の登録を促している。また、その下方に「商品のバーコードをスキャナーに近づけて登録を行ってください」というメッセージを表示して、商品の登録方法を客に説明している。登録画面が表示された状態で商品に付されたバーコードを客が客側スキャナ部２０６でスキャンすることにより、スキャンされた商品が登録される。
【０１６５】
ボタンＢＴ３５〜ＢＴ３７の画面上側には、バーコード無商品についての登録を行うためのプリセットボタンを表示するプリセットキー表示ボタンＢＴ４１，ＢＴ４２が表示されている。バーコード無商品は、それぞれの商品の性質に応じてカテゴリ（品目）ごとに分類されており、商品を選択する前に、商品が分類されたカテゴリを選択させる。ここでは、バーコード無商品は「お野菜」「お惣菜」の各カテゴリに分類されている。このうち、第１プリセットキー表示ボタンＢＴ４１は、「お野菜」に分類される商品のプリセットキーを表示するためのボタン（キー）であり、第２プリセットキー表示ボタンＢＴ４２は、「お惣菜」に分類される商品のプリセットキーを表示するためのボタン（キー）である。なお、プリセットキー表示ボタンは、プリセットキー表示ボタンＢＴ４１，ＢＴ４２の２つのみであるが、バーコード無商品を更に分類し、より多くのプリセットキー表示ボタンを設定してもよい。図２１（Ｂ）に示す登録画面におけるプリセットキー表示ボタンでは、６つのカテゴリまで表示可能とされているが、より多くのカテゴリを表示可能としてもよい。
【０１６６】
また、図２１（Ｂ）に示す登録画面では、第１プリセットキー表示ボタンＢＴ４１及び第２プリセットキー表示ボタンＢＴ４２の上方に「バーコードがない商品は下の品目をお選びください」というメッセージが表示される。この表示によって、第１プリセットキー表示ボタンＢＴ４１及び第２プリセットキー表示ボタンＢＴ４２の操作を、バーコード無商品を登録する客に促している。このように、プリセットキー表示ボタンＢＴ４１，ＢＴ４２が表示されていることにより、図２１（Ａ）に示す登録開始画面で登録スタートボタンＢＴ３０を操作してバーコードをスキャンすることによる商品の登録を開始した場合でも、登録開始画面に戻ることなくバーコード無商品を登録できるようになっている。バーコード無商品の登録方法については、後に説明する。
【０１６７】
図２２（Ａ）は、商品登録が開始された後の商品登録中画面の表示内容を示している。商品登録中画面では、スキャンした商品の商品名及び値段（価格）が登録商品表示領域ＨＲ１１に表示され、メッセージ表示領域ＧＡ１１に「登録中」「登録した商品は買い物袋に入れてください次の商品登録はこの画面が消えてから行ってください」といったメッセージが表示される。ＰＯＳ端末２０は、図２２（Ａ）に示す商品登録中画面が表示されている最中に、商品登録の処理を実行する。
【０１６８】
図２２（Ｂ）は、商品登録の処理が終了した後の登録画面の表示内容を示している。この登録画面では、登録された商品の商品名、数量、値段、税込み表示などが登録済商品表示領域ＨＲ１２に表示される。図２２（Ｂ）には、商品として「お茶」「大福餅」の２点が登録された例を示している。以後、さらに商品の登録を実行するごとに、登録済商品表示領域ＨＲ１２に登録された商品が追加して表示される。また、登録済商品表示領域ＨＲ１２における買上点数や合計（金額）の表示が追加される商品に応じて増加する。
【０１６９】
図２２（Ｂ）において、画面左下の画像ＧＡ０１は、他端末（第２ＰＯＳ端末２０−２）の状態（具体的には通常モードである旨）を示している。画面左下の画像ＧＡ０２は、他端末（第３ＰＯＳ端末２０−３）の状態（具体的にはフルセルフモードである旨）を示している。画面右下のお会計ボタンＢＴ３２は、商品登録の終了を指示するためのボタンである。客は、商品登録が完了した後にお会計ボタンＢＴ３２を操作する。店員呼出ボタンＢＴ３３は、店員を呼び出すためのボタンである。客は、店員を呼び出す場合（例えば、店員のサポートが必要な場合等）に店員呼出ボタンＢＴ３３を操作する。これらの表示やボタンは、図２１（Ｂ）に示すように、商品の登録が行われていない状態では表示されず、商品の登録が行われた後の登録画面で表示されるが、商品の登録が行われていない状態で表示されるようにしてもよい。
【０１７０】
図２３（Ａ）は、図２１（Ａ）に示すバーコード無商品登録スタートボタンＢＴ３１が操作された後の商品カテゴリ選択画面を示している。商品カテゴリ選択画面では、プリセットキー表示ボタンＢＴ４１，ＢＴ４２が画面の中央に表示されるとともに、画面左上に「商品の品目を選択してください」というメッセージが表示される。このメッセージにより、客の商品のカテゴリの選択を促している。なお、図２３（Ａ）の画面にてプリセットキー表示ボタンＢＴ４１，ＢＴ４２が押下されると図２３（Ｂ）の画面に遷移するが、プリセットキー表示ボタンＢＴ４１，ＢＴ４２の領域を図２３（Ｂ）の画面上部に移動させて選択可能に縮小表示するようにしてもよい。操作に必要な画面を遷移させるために手数（タッチ操作する回数）が多いと操作が煩雑となり操作者もどの画面から遷移したのかが分からなくなり戸惑ってしまう場合が有る。この点、プリセットキー表示ボタンＢＴ４１，ＢＴ４２の領域を図２３（Ｂ）の画面上部に移動させて選択可能に縮小表示する表示方法を用いることによって、画面遷移頻度を少なくすることができるとともに煩雑さが無く操作性を向上させることができる。
【０１７１】
図２３（Ｂ）は、第１プリセットキー表示ボタンＢＴ４１が操作された後の商品選択画面を示している。プリセットキー表示ボタンＢＴ４１，ＢＴ４２のうち、例えば第１プリセットキー表示ボタンＢＴ４１が操作されると、カテゴリ（品目）が「お野菜」に対応する図２３（Ｂ）に示す商品選択画面が表示される。また、図２３（Ｂ）に示す商品選択画面のプリセットキー表示部ＢＴ５０の右側に設けられた「１」〜「７」のタブ（プリセット画面切り替え領域）は、カテゴリ（品目）に対応し、「１」は「お野菜」に対応している。１」〜「７」の領域を指でタッチすることにより、プリセットボタン画面を対応するカテゴリ（品目）に切り替えることができるようになっている。
【０１７２】
この商品選択画面では、複数のプリセットキーを含むプリセットキー表示部ＢＴ５０が表示される。また、第２プリセットキー表示ボタンＢＴ４２が操作されると、カテゴリ（品目）が「お惣菜」に対応する商品選択画面が表示される。同様に、図２２（Ｂ）に示す第１プリセットキー表示ボタンＢＴ４１及び第２プリセットキー表示ボタンＢＴ４２のどちらかのボタン、例えば第１プリセットキー表示ボタンＢＴ４１が操作されると、図２３（Ｂ）に示す商品選択画面が表示される。所謂、お会計（決済を行う画面）に進むための画面（小計画面）から商品を追加で登録できる画面へと遷移する。
【０１７３】
プリセットキー表示部ＢＴ５０には、複数のプリセットキーが表示されており、各プリセットキーには、商品の商品情報が予め設定されており、各プリセットキーに割り当てられた商品の画像が表示されている。例えば、図２３（Ｂ）に示す商品選択画面のプリセットキー表示部ＢＴ５０には、「リンゴ」「梨」「マスカット」「種無ぶどう」「バナナ」「大粒ブドウ」「桃」「みかん」「パイナップル」「メロン」「キウイ」「トマト」の各商品のプリセットキーが表示されている。なお、プリセットキー表示部ＢＴ５０には、そのほかに表示されている「係員呼出」ボタン以外の「記録確認」「一括訂正」「休止」「従業員」「一部訂正」「１０円引き」〜「３０円引き」「１０％引き」〜「２０％引き」「取消」「Ａ」「Ｂ」「Ｃ」「メンテナンス」「セルフメンテ」などの各種キーは、客が操作し商品を登録するモード（フルセルフモード）では表示しないが、店員が操作するモード（訂正やメンテナンス等のモード）の場合に表示される。
【０１７４】
図２３（Ｂ）に示す商品選択画面では、「−お野菜−商品を選択してください」というメッセージが表示され、客に対して、プリセットキーの操作（入力）による商品の選択（指定）を促している。プリセットキー表示部ＢＴ５０に表示されたこれらのプリセットキーのうち、商品が割り当てられたプリセットキーが操作されたときには、操作されたプリセットキーに対応する商品の登録が行われる。例えば、「リンゴ」のプリセットキーが操作されたときには、商品として「リンゴ」が登録される。
【０１７５】
また、図２３（Ｂ）に示す商品選択画面では、画面の右上にプリセットキー表示ボタンＢＴ４１，ＢＴ４２が表示され、画面の右下に戻るボタンＢＴ５１が表示されている。このうち、例えば、第２プリセットキー表示ボタンＢＴ４２が操作されると、お惣菜のプリセットキーが表示されたプリセットキー表示部が表示される。このため、異なるカテゴリ（品目）の商品を登録する場合であっても、元の画面に戻ることなく、登録を行うことができる。また、戻るボタンＢＴ５１が操作されると、元の画面（図２１（Ｂ）又は図２２（Ｂ）に示す登録画面）に戻る。
【０１７６】
図２４（Ａ）は、プリセットキー表示部ＢＴ５０に表示されたプリセットキーを操作して、商品が登録された後の登録個数入力画面を示している。登録個数入力画面には、商品情報表示領域ＨＲ２１及び商品数量表示領域ＨＲ２２が表示される。商品情報表示領域ＨＲ２１には、登録された商品の名称が表示され、商品数量表示領域ＨＲ２２には、商品の単位及び数量（販売数量）が表示される。
【０１７７】
例えば、商品としてリンゴが登録された場合には、図２４（Ａ）に示す登録個数入力画面における商品情報表示領域ＨＲ２１に「リンゴ」の文字が表示される。また、商品数量表示領域ＨＲ２２には、「リンゴ」の数量を数える際の単位となる「個数」が表示され、さらに、所定の初期値（ディフォルト値）、ここでは「１」が表示されている。また、図２４（Ａ）に示す登録個数入力画面には、戻るボタンＢＴ５１、テンキーＢＴ５２、決定キーＢＴ５３、及び言語切り替えのためのボタンＢＴ３５〜ＢＴ３７が表示されている。このうち、テンキーＢＴ５２は数量キーとなる。図２４（Ｂ）に示す登録個数入力画面の左上には、「個数を入力し、決定を押してください」のメッセージが表示されており、商品の個数の入力を客に促している。
【０１７８】
商品数量表示領域ＨＲ２２に表示される数量表示の初期値は、登録される商品ごとに決まっていてもよいし、商品間で統一されていてもよい。例えば、登録される商品が「リンゴ」であるときには、数量表示の初期値が「１」であり、登録される商品が「みかん」であるときには、数量表示の初期値が「５」であるようにしてもよいし、商品の種類に関わらず、数量表示の初期値が「１」であるようにしてもよい。
【０１７９】
また、数量表示では、数量とともに単位が表示されている。この単位についても、商品ごとに異なるもでもよいし、商品間で統一されたものでもよい。例えば、登録される商品が「リンゴ」であるときには、数量表示の単位を「個数」とし、登録される商品が「バナナ」であるときには、数量表示時の単位を「房数」としてもよいし、「本数」としてもよい。また、商品の種類に関わらず、数量表示の単位を「個数」としてもよい。これらの単位は、あらかじめ決定しておくことが好適である。これらの単位をあらかじめ設定しておく方法として、商品マスタに登録する商品データ内に設定するようにしてもよい。また、これらの単位は、撮像手段で商品を撮像し商品を識別し特定するような場合、撮像手段で撮像し商品を識別し特定した際に表示するようにしてもよい。なお、表示する単位は、入力された数字を表示する領域の右端に表示するようにしてもよい。この場合、入力された数字「２」の右横下に「個」の表示をするようにしてもよい。そのほかの単位としては、例えば、枚、束、本、柵、房、ケース、箱、などがある。商品と対応させてそれぞれの単位を設定しておけば、プリセットボタンで商品が特定された時点で単位を表示するようにしてもよい。なお、左上部に単位を表示する場合、図で示したように例えば「個数」の文字を表示しているが、その他の単位として例示した房数の外に、枚数、束数、本数、柵数、ケース数、箱数、などを商品に応じて表示するようにする。
【０１８０】
図２４（Ｂ）は、表示部に表示されたソフトウエアキーボードであるテンキーＢＴ５２が操作された後の登録個数入力画面を示している。図２４（Ａ）に示すように、商品数量表示領域ＨＲ２２に数量表示の初期値が表示された後、テンキーＢＴ５２が操作されると、テンキーＢＴ５２の操作によって指定された数値が入力され、商品数量表示領域ＨＲ２２の数量表示がテンキーＢＴ５２の操作によって指定された数値に変化する。例えば、「リンゴ」の「個数」として「１」が表示されているときに、テンキーＢＴ５２が操作されて「２」のキーが指定されると、図２４（Ｂ）に示すように、「リンゴ」の個数の指定値が２個となり、「リンゴ」の「個数」の表示が「１」から「２」に変化する。その後、決定キーＢＴ５３が操作されることによって、商品及びその個数が入力され、ここではリンゴが２個入力されて登録が終了する。なお、テンキーＢＴ５２は、プリセットキーで商品が特定（決定）されると数値入力画面に重ねて表示するように制御し、数値の入力が完了するとテンキーＢＴ５２の表示部の表示から消すように制御される。
【０１８１】
また、商品の数を登録する際に、テンキーＢＴ５２によって非常に大きな数値が指定されると、指定された数値をそのまま表示することなく、その代わりに初期値を表示する。例えば、登録される商品として「リンゴ」が選択された場合に、数量として「１００」が指定された場合、ユーザは、１００個のリンゴを購入しようとしているのではなく、テンキーＢＴ５２の操作ミスであることが推認される。このように、テンキーＢＴ５２の操作ミスと考えられる場合には、実際に指定された数値に代えて、初期値を表示する。例えば、登録される商品が「リンゴ」であるときに１０００の数量が指定されようとした場合には、数量表示としては、「１０００」を表示することなく初期値である「１」を表示する。
【０１８２】
大きな数値が指定されたときに初期値を表示する場合には、例えば、指定された数値が所定の上限値を超える場合に、初期値を表示するようにすればよい。この場合の上限値は、一定の値としてもよいし、商品ごとに決定してもよい。例えば、販売される個数が比較的少ないことが多いリンゴであれば１０個を上限値とし、販売される個数が比較的多いことが多いギョーザであれば１００個としてもよい。
【０１８３】
上限値を超える数値が指定されたことの判断は、その数値が指定されたときに行ってもよいし、その数値が指定され、決定キーＢＴ５３が操作されたときに行ってもよい。数値が指定されたときに上限値が超えたと判断される場合には、商品数量表示領域ＨＲ２２にその数値が表示されることなく初期値が表示されるようにすればよい。また、数値が指定され、決定キーＢＴ５３が操作されたとき上限値が超えたと判断される場合には、商品数量表示領域ＨＲ２２にその数値が表示された後、決定キーＢＴ５３の操作によって商品数量表示領域ＨＲ２２の表示が初期値に変化するようにすればよい。例えば、上限値を超えない制御をさせる場合であって、一位の桁、十位の桁、百位の桁等、桁に対して入力制限を行う場合、例えば十位の桁以上の入力を制限する設定がなされているとした場合、例えば、「２０００」と入力されたとき「２」の入力は許可するが、十位の桁である「０」が入力された時点で、それ以降の数値の入力を禁止し、入力された「０」の入力値を破棄（制限）し、エラー報知を行うとともに初期値である「１」を入力値として設定するとともに表示部に「１」を表示させる。
【０１８４】
なお、この制御の他に、初期値は、実際に入力された数値の所定桁数を設定の値として採択する方式であってもよい。この場合、前記記載の桁数の入力制限を行う制御の設定がなされているとした場合、例えば、「２０００」と入力されたとき「２」の入力は許可するが、十位の桁である「０」が入力された時点で、それ以降の数値の入力を禁止し、入力された「０」の入力値を破棄し、エラー報知を行うとともに初期値として入力された一位の桁である数値「２」を入力された値として設定するとともに表示部に「２」を表示させるようにしてもよい。これにより、例えば、「２」と入力しようとしたが間違えて「２０」と入力してしまった場合、再度、「２」を入力させることなく客が入力したいであろう数値を入力値とすることができるので、入力操作の手数を少なくすることができる。
【０１８５】
また、上限値を超えない制御をさせる場合であって、数値が入力された後「決定」ボタンが押下された時に入力の値を制限する制御を行う場合、「２０００」と入力された後、「決定」ボタンが押されると十位の桁以上である「０００」の入力値を破棄し、エラー報知を行うとともに初期値である「１」を入力値として設定するとともに表示部に「１」を表示させるようにしてもよい。なお、初期値を実際に入力された数値の所定桁数を設定の値として採択する方式である場合は、前記表示部の数字は「１」ではなく「２」を表示することになる。
【０１８６】
また、客側と店員側とで入力値の制限が異なるように制御してもよい。この場合、客が入力する数値（または桁数）はある程度限られているが、店員が数値を入力する場合、客の入力とは異なり入力する数値（または桁数）は多い（大きい）可能性が高い。そのため、客側の入力値の制限は少なく（小さく）、店員側の入力値の制限が多く（大きく）するというように異なる制御を行うようにする。このような制御を行うことによって、会計装置の客側及び店員側の入力操作性及び信頼性を高めるとともに作業効率をも高めることができる。
【０１８７】
また、客側と店員側とで入力値の制限を異ならせる理由としては、販売制限付き商品等を販売する場合があることなどが考えられる。例えば、お一人様５個までの制限が商品データに設定されている販売制限付き商品がある場合に、客側の上限を「５個」、店員側の上限を「１５個」としてもよい。例えば、客が販売制限付き商品を買上商品として購入する際に、客が買上商品の登録数量を登録個数の上限なしに入力できるように制御すると、用意した販売制限付き商品が複数の客に均等にいきわたらない可能性が高くなり、客同士の間で不公平となることからクレームの元になる可能性が高い。そこで、例えば、客側では、上記のお一人様５個までの販売制限付き商品を登録する際の入力個数としては、「５」を超える数値を入力できない制御を行うことにより、客が入力できる入力値の上限を「５個」とする。
【０１８８】
しかしながら、用意した販売制限付き商品の数と客の数との関係では、一人の客に「５個」の上限を超えて販売を行っても、複数の客に販売制限付き商品が均等にいきわたる状況となることも考えられる。例えば、客の申し出等により、店員は、店員側で登録を行うことにより、上限値を超えた数の販売制限付き商品の購入を許可できるようにしてもよい。この場合、店員側においては、「５」を超える数値を入力できるようにすることにより、店員の判断で上限値を超えた数の販売を行うことができる。この場合、店員が入力する登録個数には上限値を設けなくてもよいが、登録個数の上限なしに販売制限付き商品を販売すると、一人の客に多数販売してしまうと、用意した販売制限付き商品が複数の客に均等にいきわたらない可能性もでてきてしまう。そこで、店員側では、所定数、例えば「１５」を超える数値を入力できない制御を行い、入力値の上限を「１５個」とすることにより、販売制限付き商品が複数の客に対して均等にいきわたらない可能性を低くすることができる。
【０１８９】
店員側と客側とで入力値の制限を異ならせる場合において、入力値の制限を超えた場合に表示される初期値は、店員側と客側で共通であってもよいし異なっていてもよい。例えば、お一人様５個までの販売制限付き商品の登録を行う際に、客側の入力値の上限を「５」店員側の入力値の上限を「１５」とした場合に、客側で入力値の上限を超えた値が入力されたときには、「１」を初期値として表示してもよいし、５個単位で販売することを前提として、「５」を初期値として表示してもよい。この場合に店員側で入力値の上限を超えた値が入力されたときには、客側と同一の「１」または「５」を初期値として表示してもよいし、その他の数値例えば「１５」などを初期値として表示してもよい。
【０１９０】
なお、上記の例では、登録個数の上限の設定にあたり、販売制限付き商品の販売個数によって入力の上限の制御を説明したが、販売個数以外の条件で上限の制御を行うようにしてもよい。例えば、販売制限付き商品の販売個数の制限を人数の制限に変換して制限するようにしてもよい。この場合、例えば、販売制限付き商品の購入を目的として並んでいる客の数を入力して制限するようにしてもよい。例えば、上記の例では、お一人様５個を販売制限付き商品の制限値としたので、並んでいる人数に５個を掛けた数を上限個数として設定しておき、店員側で人数が入力したら制限個数を掛け算して入力値の上限の制御を行うようにしてもよい。
【０１９１】
また、他の例として、セット販売や特売などの販促の際、ある期間内（時間内）であれば有効となるいわゆるタイムセールなどがある。例えば、所定の時間、例えば１０：００〜１１：００の間は、店内の全商品を値引きするといった企画等において、所定時間の終了判定は、例えば商品の登録のためのスキャンの開始または締め操作時のシステム時刻を基準として行う。このため、客または店員がレジの操作にもたついてしまうと、レジの前に行列ができてしまい、客が並んでいる間に所定時間が終了してしまう可能性がある。客が並んでいる間に所定時間が終了してしまった場合には、客からクレームが生じる可能性がある。
【０１９２】
このような事態を想定して、客側の入力の制御では個数「１」を上限とするが、店員側の制御では数量制御から待ち人数の制御に切り替え、上限制御を人数で入力して制限するようにしてもよい。この場合、店員側では待ち人数を入力することとなるので、客側での入力制御と異なる制御を行うため入力値が異なることとなり、例えば、レジに２０人の客が並んでいる場合、店員は「２０人」と入力することとなる。このように、客側と店員側との制御が異なる場合、店員が数値を入力する場合と、客が数値を入力する場合とを異なるようにし、入力する数値（または桁数）を制御するようにしてもよい。この場合、いわゆる、客側で登録される商品を所定期間内において値引きまたは割引する販売促進手段と、店員側において販売促進手段の制御を時間制御から数量制御に切り替えて制限数を入力させる販売制御切替手段の構成となる。
【０１９３】
客側及び店員側の少なくとも一方において、客に提供する買物袋の数を入力する買物袋数入力手段を設け、客側及び店員側の少なくとも一方における買物袋数の入力値を制限するようにしてもよい。近年、環境保護のため買物袋を有料化している店舗が増大しており、その環境保護の取り組みをアピールする企業も増えている。しかしながら、有料であったとしても客が無尽蔵に買物袋の数量を入力できるようにしたのでは、環境保護の目的を果たすことができない。そこで、商品マスタに登録されている各商品の商品データにその商品の重量や商品寸法（縦横高さ）を記憶させておき、商品の登録がなされるごとに各商品の重量を当該取引の買上商品の合計重量として加算する、または、商品寸法（縦横高さ）を加算して必要な買物袋の容積を計算する。そして、合計重量、または合計容積から買物袋の大きさと数を算出し入力値を制限するようにしてもよい。
【０１９４】
この場合、買上商品の合計重量または合計容積と、計算して算出された買物袋の大きさ（例えば、Ｌ、Ｍ、Ｓ等）とを対応させて各買物袋のサイズごとに入力値の制御がなされるようにしてもよい。なお、合計重量と合計容積の容積（積算容積）の両方を用いて各買物袋のサイズごとの入力値の制御を行うようにしてもよい。例えば、かさばる商品があるが軽量である商品があったり、サイズが小さいが重量が大きい商品などがあったりするため、合計重量と合計容積（積算容量）の両方を用いて制御を行うようにしてもよい。
【０１９５】
また、客側から入力ができる買物袋の大きさ及び数量は、買上商品の合計重量または合計容積（積算容量）あるいは合計重量と合計容積（積算容量）に基づき入力値の上限値（入力禁止）の制御がなされるが、店員側は客側の入力とは異なり、店員側は入力制御を解除し、計算された上限値を超える入力値を入力できるように制御してもよい。これにより、店員はイレギュラーな処理を行えるため、例えば、対象商品の商品データにその商品の重量、商品寸法（縦横高さ）が記憶されていない（例えば、商品重量、または商品寸法（縦横高さ）の両方またはいずれかが記憶されていない）場合は、正しく買物袋の大きさとその数を登録された商品より求めることができない。そのため、客側では正しい入力値を入力できない可能性があるため、店員側にて正しい買物袋の大きさとその数を入力できるように入力値の制御を行わせるようにする。この場合、店員呼出がなされ（報知処理として画面表示やサインポールの点滅や点灯または消灯、あるいは店員が携帯する端末に通知する）、店員側の入力ができるように制御がなされるようにしてもよい。これにより、店員によって適切に買物袋の大きさとその数量とを入力することができるので、スムーズな取引を実現することができる。
【０１９６】
また、一旦上限値を超える数値が指定され、商品数量表示領域ＨＲ２２に初期値が表示された後に再度上限値を超える数値が指定されたときにも、商品数量表示領域ＨＲ２２に初期値を表示するが、この場合には、操作ミスではなく、意図的に上限値を超えた数値を指定したと考えられることもある、このため、一旦上限値を超える数値が指定され、商品数量表示領域ＨＲ２２に初期値が表示された後に再度上限値を超える数値が指定されたときには、指定された数値を商品数量表示領域ＨＲ２２に表示するようにしてもよい。また、一旦上限値を超える数値が指定され、商品数量表示領域ＨＲ２２に初期値が表示された後に再度上限値を超える数値が指定されたときに、それぞれの上限値を超える数値が同一であるときには、その数値を商品数量表示領域ＨＲ２２に表示し、異なる場合には初期値を商品数量表示領域ＨＲ２２に表示するようにしてもよい。また、一旦上限値を超える数値が指定され、商品数量表示領域ＨＲ２２に初期値が表示された後に再度上限値を超える数値が指定されたときには、指定された数値を商品数量表示領域ＨＲ２２に表示する場合でも、異常に大きな数値、例えば１万個が指定された場合には、初期値を表示するようにしてもよい。異常に大きな数値の判断としては、第２の上限値を設定すればよい。
【０１９７】
また、商品の数を登録する際に、テンキーＢＴ５２におけるクリアーキーが操作されると、商品数量表示領域ＨＲ２２に表示されている数値が消去される。このとき、テンキーＢＴ５２の「０」を操作したときには、商品を０個登録することになるが、商品を０個登録することはないので、誤った指定であると考えられる。そこで、商品数量表示領域ＨＲ２２に数値が表示されてないときにテンキーＢＴ５２の「０」を指定した場合には、「０」を表示しない。
【０１９８】
図２５（Ａ）は、図２４（Ｂ）に示す登録個数入力画面において、商品数量表示領域ＨＲ２２に商品の個数が表示されたときに決定キーＢＴ５３が操作された後の商品登録中画面を示している。商品登録中画面では、登録商品表示領域ＨＲ１１に登録した商品である「リンゴ」及びその価格が表示され、メッセージ表示領域ＧＡ１１に「登録中」「登録した商品は買い物袋に入れてください次の商品登録はこの画面が消えてから行ってください」といったメッセージが表示される。登録商品表示領域ＨＲ１１には、商品の単位や数量を表示してもよい。
【０１９９】
図２５（Ｂ）は、バーコード無商品の登録が完了した後の登録画面を示している。この登録画面では、登録済商品表示領域ＨＲ１２に「お茶」「リンゴ」の２点が登録された例を示している。以後、会計ボタンＢＴ３２が操作されることによって登録処理が完了し、精算処理が実行される。
【０２００】
図２６（Ａ）は、精算処理を開始する際に表示する精算画面（支払方法選択画面）の表示内容を示している。例えば、ＰＯＳ端末２０は、登録画面（図２５（Ｂ）参照）においてお会計ボタンＢＴ３２が操作された場合に、図２６（Ａ）に示したような支払方法選択画面を表示する。
【０２０１】
図２６（Ｂ）は、現金による支払を開始する際に表示する精算画面（入金画面）の表示内容を示している。例えば、ＰＯＳ端末２０は、支払方法選択画面（図２６（Ａ）参照）において現金が操作された場合に、図２６（Ｂ）に示したような入金画面を表示する。
【０２０２】
図２６（Ｃ）は、預り金額を決定する際に表示する精算画面（入金画面）の表示内容を示している。例えば、ＰＯＳ端末２０は、お支払金額（買上金額）以上の現金（預り金）が投入された場合に、図２６（Ｃ）に示したような入金画面を表示する。
【０２０３】
図２６（Ｄ）は、釣り銭を放出する際に表示する精算画面（釣銭画面）の表示内容を示している。例えば、ＰＯＳ端末２０は、入金画面（図２６（Ｃ））においておわり（レシート）ボタンＢＴ４０が操作された場合に、図２６（Ｄ）に示したような釣銭画面を表示する。
【０２０４】
図２６（Ｅ）は、釣り銭が取り去られた際に表示する精算画面（レシート画面）の表示内容を示している。例えば、ＰＯＳ端末２０は、釣銭機２０９の取出口から釣り銭が取り去られた場合に、図２６（Ｅ）に示したようなレシート画面を表示する。なお、ＰＯＳ端末２０は、取出口の近傍にフォトセンサ等のセンサを設置し、該センサが物（客の手を想定）を認識した場合に、釣り銭が取り去られたと判定してもよい。図２６（Ｆ）は、休止モード（休止状態）であるときに表示する休止画面である。
【０２０５】
なお、ＰＯＳ端末２０は、レシート画面（図２６（Ｅ））の表示後には、登録開始画面（図２１（Ａ））を表示する。例えば、ＰＯＳ端末２０は、印刷部２１３の発行口からレシートが取り去られた後に、登録開始画面を表示する。なお、ＰＯＳ端末２０は、発行口からレシートが取り去られたことを認識可能なセンサを備えていてもよい。また、釣り銭が発生しない場合には、釣銭画面（図２６（Ｄ））を表示せずに、入金画面（図２６（Ｃ））からレシート画面（図２６（Ｅ））に遷移してもよい。
【０２０６】
（フルセルフモードのＰＯＳ端末２０における商品登録の処理）
次に、フルセルフモードにおけるＰＯＳ端末２０の商品登録の処理について説明する。図２７は、ＰＯＳ端末２０が行う商品登録処理の一例を示すフローチャートである。
ステップＳ１１１：図２１（Ａ）に示す登録開始画面を客側表示部２０５に表示する。ＰＯＳ端末２０は、登録開始画面が表示された状態では、まだ商品登録の処理を開始しておらず、登録スタートボタンＢＴ３０またはバーコード無商品登録スタートボタンＢＴ３１が操作されることによって、商品登録の処理を開始する。
ステップＳ１１２：登録スタートボタンＢＴ３０が押下されたか否かを判断する。登録スタートボタンＢＴ３０が押下された場合、ＰＯＳ端末２０は、ステップＳ１１３に進み、登録スタートボタンＢＴ３０が押下されていない場合、ＰＯＳ端末２０は、ステップＳ１２１に進む。
ステップＳ１１３：ＰＯＳ端末２０は、図２１（Ｂ）に示す登録画面を客側表示部２０５に表示する。客が登録画面に表示されたボタンの操作を行ったり、商品のスキャンを行ったりすることにより、商品の登録が行われる。
【０２０７】
ステップＳ１１４：ＰＯＳ端末２０は、図２１（Ｂ）に示すプリセットキー表示ボタンＢＴ４１，ＢＴ４２が押下されたか否かを判断する。ここでは、ＰＯＳ端末２０は、第１プリセットキー表示ボタンＢＴ４１または第２プリセットキー表示ボタンＢＴ４２のいずれかが押下されたかまたはいずれのプリセットキー表示ボタンも押下されていないかを判断する。プリセットキー表示ボタンＢＴ４１，ＢＴ４２が押下されていない場合、ＰＯＳ端末２０は、ステップＳ１１５に進み、プリセットキー表示ボタンＢＴ４１，ＢＴ４２が押下された場合、ＰＯＳ端末２０は、ステップＳ１２３に進む。
ステップＳ１１５：ＰＯＳ端末２０は、バーコードがスキャンされたか否かを判断する。ＰＯＳ端末２０は、客側スキャナ部２０６によって商品に付されたバーコードがスキャンされた（読み込まれた）か否かを判断する。バーコードがスキャンされたと判断した場合、ＰＯＳ端末２０は、ステップＳ１２８に進み、バーコードがスキャンされていないと判断した場合、ＰＯＳ端末２０は、ステップＳ１１６に進む。
【０２０８】
ステップＳ１１６：ＰＯＳ端末２０は、図２２（Ｂ）、図２５（Ｂ）に示すお会計ボタンＢＴ３２が押下されたか否かを判断する。お会計ボタンＢＴ３２が押下されたと判断した場合、ＰＯＳ端末２０は、ステップＳ１１７に進み、お会計ボタンＢＴ３２が押下されていないと判断した場合、ＰＯＳ端末２０は、ステップＳ１１４に戻って商品登録の処理を継続する。
ステップＳ１１７：ＰＯＳ端末２０は、お会計ボタンＢＴ３２の押下に基づいて、商品登録の処理を終了し、精算処理を行う。精算処理では、ＰＯＳ端末２０は、図２６（Ａ）〜（Ｆ）に示す画面を順次表示するとともに、画面の表示に応じた操作を客が行うことにより、精算処理が実行される。こうして、フルセルフモードのＰＯＳ端末２０における商品登録の処理を終了する。
【０２０９】
ステップＳ１２１：ＰＯＳ端末２０は、図２１（Ａ）に示す登録開始画面において、バーコード無商品登録スタートボタンＢＴ３１が押下されたか否を判断する。バーコード無商品登録スタートボタンＢＴ３１が押下されていないと判断した場合、ＰＯＳ端末２０は、ステップＳ１１２に戻り、登録スタートボタンＢＴ３０が押下されたか否かを判断する。ステップＳ１１２及びステップＳ１２１の処理を繰り返すことにより、ＰＯＳ端末２０における登録処理に開始を待機している。バーコード無商品登録スタートボタンＢＴ３１が押下されたと判断した場合、ステップＳ１２２に進む。
ステップＳ１２２：ＰＯＳ端末２０は、図２３（Ａ）に示す商品カテゴリ選択画面を客側表示部２０５に表示する。客は、表示された複数のプリセットキー表示ボタンＢＴ４１，ＢＴ４２の中から、購入する商品に対応するプリセットキーを表示するためのプリセットキー表示ボタンを押下する。続いて、客側表示部２０５に表示される商品カテゴリ選択画面に含まれるプリセットキー表示ボタンＢＴ４１，ＢＴ４２が押下された後、ＰＯＳ端末２０は、ステップＳ１２３に進む。
【０２１０】
ステップＳ１２３：ＰＯＳ端末２０は、図２３（Ｂ）に示す商品選択画面を客側表示部２０５に表示する。客側表示部２０５に表示される商品選択画面には、バーコード無商品に対応するプリセットキーが複数含まれている。客は、プリセットキー表示部ＢＴ５０に表示された複数のプリセットキーの中から、購入する商品に対応するプリセットキーを押下する。なお、戻るボタンＢＴ５１が押下された場合には、図２１（Ａ）に示す登録開始画面に戻って客側表示部２０５に表示される。なお、戻るボタンＢＴ５１が押下された場合に図２２（Ｂ）に示す登録画面など、他の画面に戻る（移行する）ようにしてもよい。
ステップＳ１２４：ＰＯＳ端末２０は、複数のプリセットキーのいずれかが押下されたか否かを判断する。プリセットキーが押下されたと判断した場合、ＰＯＳ端末２０は、ステップＳ１２５に進む。プリセットキーが押下されていないと判断した場合、ＰＯＳ端末２０は、ステップＳ１２６の処理を繰り返す。
【０２１１】
ステップＳ１２５：ＰＯＳ端末２０は、図２４（Ａ）に示す登録個数入力画面を客側表示部２０５に表示する。ＰＯＳ端末２０は、登録個数入力画面を表示する処理として、図２８に示すフローチャートを実行する。図２８は、ＰＯＳ端末２０が行う登録個数入力画面表示の一例を示すフローチャートである。
【０２１２】
ステップＳ２１１：ＰＯＳ端末２０は、図２３（Ｂ）に示す商品選択画面で選択された商品を確認する。この商品は、図２３（Ｂ）に示す商品選択画面に含まれるプリセットキーのうち、客が押下したプリセットキーに対応する商品である。
ステップＳ２１２：ＰＯＳ端末２０は、選択された商品に応じた単位を決定する。例えば、選択された商品が「リンゴ」である場合には、単位として「個数」を決定し、例えば、選択された商品が「バナナ」である場合には、単位として「房数」を決定する。
ステップＳ２１３：ＰＯＳ端末２０は、決定した単位を用いた登録個数入力画面を客側表示部２０５に表示する。ＰＯＳ端末２０は、単位を「個数」と決定した場合、図２４（Ａ）に示す商品数量表示領域ＨＲ２２に「個数」の文字を表示する。こうして、登録個数入力画面表示（ステップＳ１２５）の処理を終了する。
【０２１３】
また、図２４（Ａ）に示す登録個数入力画面において、戻るボタンＢＴ５１が押下された場合には、図２３（Ｂ）に示す商品選択画面に戻って客側表示部２０５に表示される。なお、図２４（Ａ）（Ｂ）に示す登録個数入力画面において、戻るボタンＢＴ５１が押下された場合には、図２２（Ｂ）に示す登録画面など、他の画面に戻る（移行する）ようにしてもよい。
【０２１４】
ステップＳ１２６：ＰＯＳ端末２０は、登録個数入力処理を行う。ＰＯＳ端末２０は、登録個数入力処理として、図２９に示すフローチャートを実行する。図２９は、ＰＯＳ端末２０が行う登録個数入力処理の一例を示すフローチャートである。
【０２１５】
ステップＳ３１１：ＰＯＳ端末２０は、図２４（Ａ）に示す登録個数入力画面の商品数量表示領域ＨＲ２２に初期値の「１」を表示する。なお、この初期値はあらかじめ定められた数値である。バーコード無商品を登録する際には、バーコードが付されている商品の登録の場合と異なり、商品の数量まで入力する。ここでは、その商品の数量を指定して入力する。
ステップＳ３１２：ＰＯＳ端末２０は、テンキーＢＴ５２におけるクリアーキーが操作されたか否かを判断する。クリアーキーは、例えば、客によって操作される。クリアーキーが操作されたと判断した場合には、ステップＳ３１３に進む。また、クリアーキーが操作されていないと判断した場合には、ステップＳ３１４に進む。
【０２１６】
ステップＳ３１３：ＰＯＳ端末２０は、図２４（Ａ）に示す登録個数入力画面の商品数量表示領域ＨＲ２２に表示されている数量、例えば「１」を消去する。ＰＯＳ端末２０は、商品数量表示領域ＨＲ２２に表示されている数量を消去した後は「０」などの数値を表示することなく、商品数量表示領域ＨＲ２２には数値が表示されていない状態とする。
ステップＳ３１４：ＰＯＳ端末２０は、数値入力操作があったか否かを判断する。数値入力操作があった場合、ＰＯＳ端末２０は、ステップＳ３１５に進む。また、数値入力操作がなかった場合、ＰＯＳ端末２０は、ステップＳ３１２に戻り、クリアーキーの操作があったか否かの判断を行う。
【０２１７】
ステップＳ３１５：ＰＯＳ端末２０は、テンキーＴＢ５２によって入力された数値が「０」であるか否かを判断する。入力された数値が「０」であったと判断した場合、ＰＯＳ端末２０は、ステップＳ３１６に進む。入力された数値が「０」でなかったと判断した場合、ＰＯＳ端末２０は、ステップＳ３１７に進む。
ステップＳ３１６：ＰＯＳ端末２０は、テンキーＴＢ５２によって入力された入力値（＝０）を商品数量表示領域ＨＲ２２に表示しない。こうして、ＰＯＳ端末２０は、商品の販売個数としての「０」の入力を禁止している。このため、商品数量表示領域ＨＲ２２は、数値が表示されていない状態が維持されている。ＰＯＳ端末２０は、ステップＳ３１２に戻り、テンキーＢＴ５２におけるクリアーキーが操作されたか否かの判断を行う。
【０２１８】
ステップＳ３１７：ＰＯＳ端末２０は、テンキーＴＢ５２によって入力された数値が上限値を超えるか否かを判断する。入力値が上限値を超えると判断した場合、ＰＯＳ端末２０は、ステップＳ３１８に進む。入力値が上限値を超えないと判断した場合、ＰＯＳ端末２０は、ステップＳ３１９に進む。
ステップＳ３１８：ＰＯＳ端末２０は、テンキーＴＢ５２によって入力された入力値を商品数量表示領域ＨＲ２２に表示せずに「１」を表示する。テンキーＴＢ５２によって入力された入力値が上限値を超えているときには、客の操作ミスなどが原因であり、実際の購入個数とは異なる可能性が高いと考えられる。この場合には、テンキーＴＢ５２によって入力された入力値を表示しないことにより、操作ミスなどによるバーコード無商品のスムーズな登録の妨げとなることを抑制できる。また、商品数量表示領域ＨＲ２２に表示する数量として、初期値である「１」を入力することにより、実際に購入される商品の数量と同じである可能性を高めることができる。こうして、登録個数入力処理（ステップＳ１２６）を終了する。
ステップＳ３１９：ＰＯＳ端末２０は、テンキーＴＢ５２によって入力された入力値を商品数量表示領域ＨＲ２２に表示する。こうして、登録個数入力処理（ステップＳ１２６）を終了する。
【０２１９】
ステップＳ１２７：ＰＯＳ端末２０は、決定キーＢＴ５３が押下されたか否かを判断する。決定キーが押下されていないと判断した場合、ＰＯＳ端末２０は、ステップＳ１２６に戻り、登録個数入力処理を繰り返す。決定キーが押下されたと判断した場合、ＰＯＳ端末２０は、ステップＳ１２８に進む。
ステップＳ１２８：ＰＯＳ端末２０は、登録された内容に基づく商品の登録の処理を行う。また、商品登録の処理を行う最中、ＰＯＳ端末２０は、図２２（Ａ）に示す商品登録中画面を客側表示部２０５に表示する。商品登録中画面は、商品登録の処理が完了するまで表示される。
ステップＳ１２９：ＰＯＳ端末２０は、商品登録処理が完了したか否かを判断する。商品登録の処理が完了したと判断した場合、ＰＯＳ端末２０は、ステップＳ１１３に戻り、図２２（Ｂ）に示す登録画面を客側表示部２０５に表示する。また、商品登録の処理が完了していないと判断した場合には、ステップＳ１２９の処理を繰り返す。ＰＯＳ端末２０における商品登録の処理は、例えば、数秒程度で完了する。
【０２２０】
このように、上記のＰＯＳシステム１では、フルセルフモードのＰＯＳ端末２０において、バーコード無商品の登録を行う場合には、客は商品を選択するプリセットキーの操作及び商品の数量の入力を行う。このとき、商品の数量の入力を行う際に、上限値を超える数値が指定された場合には、指定された数値を商品数量表示領域ＨＲ２２に表示することなく、初期値、例えば「１」を商品数量表示領域ＨＲ２２に表示する。ここでの上限値は、指定された数値が商品を購入する際の購入数量として考えにくいほど大きい数値に設定している。このため、客が購入するとは想定しにくい商品の数の入力を抑制できるので、コード情報が付されていない商品（バーコード無商品）の登録、さらには客との取引をスムーズに行うことができる。
【０２２１】
また、上記のＰＯＳシステム１では、フルセルフモードのＰＯＳ端末２０において、商品の販売個数としての「０」の入力を禁止している。商品の販売個数が０ということはないので、テンキーＢＴ５２の操作によって「０」が指定されたときには、客の操作ミスであるか、不正を行う目的での操作である可能性が高い。このため、商品の販売個数としての「０」の入力を禁止することにより、入力ミス（操作ミス）や不正を抑制できる。
【０２２２】
また、上記のＰＯＳシステム１では、フルセルフモードのＰＯＳ端末２０において、バーコード無商品の数量を入力する際に、例えば、商品が「リンゴ」のときには、単位を「個数」として、商品の単位を表示するようにしている。このため、客が商品の数量を誤解しにくくなり、入力ミスを抑制できる。
【０２２３】
（変形例）
上記の例では、バーコード無商品の入力を行うにあたり、商品の数量を指定する際に、指定された数値が所定の上限値を超える場合に、数量の初期値を表示するようにしている。これに対して、商品の数量を指定する際に、指定された数値が所定の桁数を超える場合に、初期値を表示するようにしてもよい。例えば、所定の桁数を３桁とし、テンキーＢＴ５２の操作によって３桁目の数値が指定されたときに、初期値を表示するようにしてもよい。この場合にも、客が購入するとは想定しにくい商品の数の入力を抑制できるので、コード情報が付されていない商品（バーコード無商品）の登録、さらには客との取引をスムーズに行うことができる。
【０２２４】
また、上記の例では、バーコード無商品は、単一の商品であるが、複数種類の商品を組み合わせた、いわゆるセット商品でもよい。バーコード無商品がセット商品である場合、セット商品を構成するそれぞれの商品について、数量を選べる場合には、これらの数量を入力できるようにしてもよい。また、それぞれの商品についての数量を入力する場合には、すべての商品の数量の入力が完了しないと、次の商品の登録を開始できないようにしてもよいし、セット商品の一部の商品の登録が完了した後、他の商品の登録を行い、さらにその後にセット商品の他の一部の商品の登録（数量の入力）が行えるようにしてもよい。
【０２２５】
また、上記の例では、指定された商品の数量が上限値を超えて商品数量表示領域ＨＲ２２に初期値を表示するが、このときに音声出力部２１４から警告音を発したり、客側表示部２０５に警告表示を行ったりしてもよい。これらの警告を行うことにより、指定した数値と表示される数値が異なっていることを客に認識させることができる。また、初期値を表示する前のこれらの警告音を発したり警告表示を行ったりするようにしてもよい。さらに、初期値を表示する前に警告表示尚を行う場合には、警告表示において、「所定の値を超えました。再度入力してください」などのメッセージを表示するとともに確認ボタンを表示し、確認ボタンが押されたら初期値を表示するようにしてもよい。また、商品数量表示領域ＨＲ２２に数値が表示されてないときにテンキーＢＴ５２の「０」を操作して「０」を表示しない場合も同様に、音声出力部２１４から警告音を発したり、客側表示部２０５に警告表示を行ったりしてもよい。
【０２２６】
また、上記の例では、商品の数量を指定する際には、客が自由にその数量を指定できるが、指定する商品の数量をＰＯＳ端末２０が誘導（指示）するようにしてもよい。例えば、商品ごとに設定された桁数又は上限値に基づいて数量の指定を行えるようにしてもよい。例えば、設定された桁数が２桁であるときには、１桁または２桁の数値を指定して選択できるようにしてもよいし、上限値が１０個であるときには、１〜１０までの数値を限定して表示させるようにしてもよい。あるいは、指定する数をテンキーＢＴ５２で強調表示するなどによって、指定する数量を誘導するようにしてもよい。これらの場合、商品の特性に応じて数量を入力させることができる。
【０２２７】
また、上記の例では、プリセットキーやテンキーについては、客側表示部２０５に表示しているが、他の態様としてもよい。例えば、客側表示部２０５の近傍等にハードキーからなるキー操作部（プリセットキー）を設けておき、バーコード無商品に割り当てて使用するようにしてもよい。また、客側表示部２０５の近傍にハードキーからなるテンキーを設け、このテンキー使用するようにしてもよい。また、商品に付されたコード情報は、バーコード以外のコード情報、例えばＱＲコード（登録商標）等のコード情報でもよい。
【０２２８】
また、上記の例では、ＰＯＳ端末２０の通常モードにおいて、小計ボタンＢＴ１０を表示している場合に、２０−２レジボタンＢＴ１２や２０−３レジボタンＢＴ１３を表示しているが、小計ボタンＢＴ１０が表示されているときに２０−２レジボタンＢＴ１２や２０−３レジボタンＢＴ１３を表示しないようにしてもよい。この場合には、小計ボタンＢＴ１０を押下した後、２０−２レジボタンＢＴ１２や２０−３レジボタンＢＴ１３を表示するようにしてもよい。小計ボタンＢＴ１０を押下した後、２０−２レジボタンＢＴ１２や２０−３レジボタンＢＴ１３を表示することにより、通常モードであっても、他のＰＯＳ端末２０において精算処理を行わせやすくできる。
【０２２９】
また、上記の例では、セミセルフモードの登録専用モードでは、小計ボタンＢＴ１０を表示していないが、小計ボタンＢＴ１０を表示し、２０−２レジボタンＢＴ１２や２０−３レジボタンＢＴ１３を表示しないようにしてもよい。この場合には、小計ボタンＢＴ１０を操作した後に２０−２レジボタンＢＴ１２や２０−３レジボタンＢＴ１３が表示されるようにしてもよい。また、小計ボタンＢＴ１０とともに２０−２レジボタンＢＴ１２や２０−３レジボタンＢＴ１３が表示されているようにしてもよい。
【０２３０】
なお、上記実施形態は、一例であって具体的な構成は上記実施形態に限られるものではなく、発明の要旨を逸脱しない範囲の設計等も含まれる。
【０２３１】
例えば、上記の例では、ＰＯＳ端末２０は、３種類の動作モード（通常モード、フルセルフモード、セミセルフモード）を有しているが、これらの動作モードのうちの１つ以上を有するものでもよい。例えば、ＰＯＳ端末は、通常モードまたはセミセルフモードのみで動作するものでもよいし、通常モードとフルセルフモードまたはセミセルフモードで動作するものでもよいし、セミセルフモードとフルセルフモードで動作するものでもよい。また、セミセルフモードで作動する際には、登録専用モードでのみ作動するものでもよいし、会計専用モードでのみ作動するものでもよいし、登録専用モード及び会計専用モードの両方のモードを切り替えて利用できるものでもよい。
【０２３２】
また、上記の例では、ＰＯＳシステム１に含まれるＰＯＳ端末２０は、いずれも店員側処理部及び客側処理部を備え、店員側処理部及び客側処理部の両方で商品脳登録が可能であり、自端末によって登録した商品及びＰＯＳシステム１における他端末で登録した商品のいずれについても精算処理が可能とされているが、ＰＯＳ端末２０は、他の態様であってもよい。例えば、登録専用のＰＯＳシステムでもよく、このうち、店員側処理部及び客側処理部の一方または両方を備え、店員側処理部及び客側処理部のいずれか一方または両方で商品登録が可能なＰＯＳ端末がＰＯＳシステム含まれていてもよい。あるいは、自端末及びＰＯＳシステム内の他端末の少なくとも一方において登録処理された商品の精算処理が可能となるＰＯＳ端末が含まれていてもよい。
【０２３３】
また、上記の例では、ＰＯＳ端末２０は、小計キーが操作された場合に、登録画面に重畳させて小画面ＳＧ０２を表示しているが（図１０（Ａ））、ＰＯＳ端末２０は、小計キーが操作された場合に、登録画面に代えて（切り替えて）、小画面ＳＧ０２に表示されている情報等を表示する小計画面を表示してもよい。
【０２３４】
なお、動作モードを切り替えるモード切替ボタン２１１ａ等はハードウェアキーであるが、ハードウェアキーに代えて又は加えて、表示部（店員側表示部２１０等）に表示されるソフトウェアキーによって動作モードが切り替わるようにしてもよい。つまり、モード切替ボタン２１１ａに代えて又は加えて、モード切替ボタン２１１ａに相当するソフトウェアキーを表示してもよい。動作モードの夫々に対応する数のモード切替ボタンを用意する場合の各ボタンについても同様である。
【０２３５】
また、上記の例では、ＰＯＳ端末２０は、店員側から客側、客側から店員側に向きを回転自在に変更可能な１台の印刷部２１３を備えるが（図２〜図４参照）、１台の印刷部２１３に代えて２台の印刷部（店員側に固定的に向けられた印刷部、客側に固定的に向けられた印刷部）を備えるようにしてもよい。
【０２３６】
なお、上記の例では、登録情報を他端末に送信する場合に、店員は登録情報の送信先（宛先）の端末を指定（選択）したが、登録情報を他端末に送信する場合に、店員は登録情報の送信先の端末を指定せずに送信する旨だけを指定してもよい。つまり、単に送信ボタンだけを配置するようにしてもよい。店員が登録情報の送信先の端末を指定せずに送信する旨だけを指定する態様では、送信側の端末が、所定の優先順位に従って宛先となる一の端末を選択し、選択した端末に登録情報を送信する。
【０２３７】
また、客側表示部２０５において、登録処理や精算処理が行われていないときには、客側表示部２０５に広告を表示するようにしてもよい。客側表示部２０５に広告を表示するにあたっては、適宜の態様で広告を表示してもよい。例えば、動作モードが通常モードであるときには、商品の登録が開始されるまでは客側表示部２０５の全体に広告を表示し、商品の登録が開始されると、客側表示部２０５の隅部に広告を小さく表示したり、広告の表示を終了したりしてもよい。
【０２３８】
また、動作モードがセミセルフモードであるときには、精算処理が終了した後、他のＰＯＳ端末２０からの登録情報を受信するまでの間において、客側表示部２０５に広告を表示するようにしてもよい。その後、登録情報を受信した場合に、客側表示部２０５の隅部に広告を小さく表示したり、広告の表示を終了したりしてもよい。
【０２３９】
上記所定の優先順位は、例えば第１ＰＯＳ端末２０−１から他端末（第２ＰＯＳ端末２０−２、第３ＰＯＳ端末２０−３）に登録情報を送信する場合、フルセルフモードの第３ＰＯＳ端末２０−３の方が通常モードの第２ＰＯＳ端末２０−２よりも高くなるようにしてもよい（フルセルフモードの第３ＰＯＳ端末２０−３に優先的に登録情報が送信されるようにしてもよい）。
【０２４０】
以下に、付記１〜付記８を開示する。
（付記１）
登録する商品を入力させる商品入力手段と、
販売数量を入力させる数量キーの操作によって、前記商品入力手段で入力された商品の販売数量を入力させる数量入力手段と、
を備え、
前記数量入力手段は、前記数量キーの操作によって入力された販売数量の値が所定の桁数又は所定の値を超えた場合に、前記数量キーの操作によって入力された販売数量の値を破棄し、予め設定されている値をその商品の販売数量として入力する、
ことを特徴とする商品販売データ処理装置。
【０２４１】
付記１の構成によれば、客との取引をスムーズに行うことができる。
【０２４２】
（付記２）
前記数量入力手段は、商品の販売数量として、１未満の入力を禁止する、
付記１に記載の商品販売データ処理装置。
【０２４３】
付記２の構成によれば、入力ミスや不正を抑制できる。
【０２４４】
（付記３）
前記数量入力手段は、商品の販売数量を訂正する場合、１未満の入力を許可する、
付記１又は２に記載の商品販売データ処理装置。
【０２４５】
付記３の構成によれば、入力ミス等をスムーズに訂正または修正することができる。
【０２４６】
（付記４）
前記数量入力手段は、前記商品ごとに設定された桁数又は所定の値に基づいて、商品の販売数量を入力させる、
付記１から３のうちのいずれか１項に記載の商品販売データ処理装置。
【０２４７】
付記４の構成によれば、商品の特性に応じて数量を入力させることができる。
（付記５）
前記数量入力手段は、店員側に設けられた店員側数量入力手段と、客側に設けられた客側数量入力手段と、を備えており、
前記店員側数量入力手段と前記客側数量入力手段との間で、前記所定の桁数又は所定の値が異なる、
付記１から４のうちのいずれか１項に記載の商品販売データ処理装置。
【０２４８】
付記５の構成によれば、客側及び店員側の入力操作性及び信頼性を高めるとともに作業効率をも高めることができる。
【０２４９】
（付記６）
前記数量入力手段によって入力された販売数量を表示する表示手段を備え、
前記表示手段は、前記商品入力手段で入力された商品に応じた単位を、前記数量入力手段によって入力される販売数量とともに表示する、
付記１から４のうちのいずれか１項に記載の商品販売データ処理装置。
【０２５０】
付記６の構成によれば、商品に応じた単位を表示するので入力ミスを防止できる。
【０２５１】
（付記７）
コンピュータを、
登録する商品を入力させる商品入力部と、
販売数量を入力させる数量キーの操作によって、前記商品入力部で入力された商品の販売数量を入力させる数量入力部と、
として機能させ、
前記数量入力部は、前記数量キーの操作によって入力された販売数量の値が所定の桁数又は所定の値を超えた場合に、前記数量キーの操作によって入力された販売数量の値を破棄し、予め設定されている値をその商品の販売数量として入力する、
プログラム。
【０２５２】
付記７の構成によれば、客との取引をスムーズに行うことができる。
【０２５３】
（付記８）
登録する商品を入力させる商品入力ステップと、
販売数量を入力させる数量キーの操作によって、前記商品入力ステップで入力された商品の販売数量を入力させる数量入力ステップと、
前記数量入力ステップにおいて、前記数量キーの操作によって入力された販売数量の値が所定の桁数又は所定の値を超えた場合に、前記数量キーの操作によって入力された販売数量の値を破棄し、予め設定されている値をその商品の販売数量として入力するステップ、とを含むことを特徴とする販売数量の入力方法。
【０２５４】
付記８の構成によれば、客との取引をスムーズに行うことができる。
【０２５５】
なお、以上に説明したＰＯＳシステム１、ＰＯＳ端末２０を実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０２５６】
１…ＰＯＳシステム
１０…ストアコントローラ
２０…ＰＯＳ端末
２０１…ＣＰＵ
２０２…ＲＯＭ
２０３…ＲＡＭ
２０４…ハードディスク
２０５…客側表示部
２０６…客側スキャナ部
２０８…カード決済部
２０９…釣銭機
２１０…店員側表示部
２１１…キー操作部
２１２…店員側スキャナ部
２１３…印刷部
２１４…音声出力部
２１５…通信部
【図１】
2020017224.tif 000003
【図２】
2020017224.tif 000004
【図３】
2020017224.tif 000005
【図４】
2020017224.tif 000006
【図５】
2020017224.tif 000007
【図６】
2020017224.tif 000008
【図７】
2020017224.tif 000009
【図８】
2020017224.tif 000010
【図９】
2020017224.tif 000011
【図１０】
2020017224.tif 000012
【図１１】
2020017224.tif 000013
【図１２】
2020017224.tif 000014
【図１３】
2020017224.tif 000015
【図１４】
2020017224.tif 000016
【図１５】
2020017224.tif 000017
【図１６】
2020017224.tif 000018
【図１７】
2020017224.tif 000019
【図１８】
2020017224.tif 000020
【図１９】
2020017224.tif 000021
【図２０】
2020017224.tif 000022
【図２１】
2020017224.tif 000023
【図２２】
2020017224.tif 000024
【図２３】
2020017224.tif 000025
【図２４】
2020017224.tif 000026
【図２５】
2020017224.tif 000027
【図２６】
2020017224.tif 000028
【図２７】
2020017224.tif 000029
【図２８】
2020017224.tif 000030
【図２９】
2020017224.tif 000031